(57)【要約】【課題】室内にいる人の体に悪影響を与えることなく、室内の抗菌を効果的に行う。【解決手段】電磁弁ユニット２Ａから、抗菌作用のある銀イオンが溶出された水を、ノズル配管２ｂを介してノズルユニット２Ｃに供給し、この水を室内にミストとして噴出する。このミスト噴出動作を、例えば浴室空調装置３が循環換気運転を行っている状態で、所定時間だけ行う。人体検出センサ６９Ａで室内に人がいないことが検出されるとき銀イオンの濃度を高濃度、例えば３００ｐｐｂとして室内の抗菌の能力を高める。逆に、人体検出センサ６９Ａで室内に人がいることが検出されるとき銀イオンの濃度を低濃度、例えば１００ｐｐｂとして室内にいる人の体に悪影響を与えないようにする。【選択図】        図１
2007064566.tif 000002
【特許請求の範囲】
【請求項１】
抗菌作用のある金属イオンが溶出された水を室内に噴出する水噴出部と、
上記室内に人がいるか否かを検出する人検出手段と、
上記水に溶出される金属イオンの濃度を制御する濃度制御手段とを備え、
上記濃度制御手段は、
上記人検出手段により上記室内に人がいないことが検出されるとき上記濃度を第１の濃度に制御し、上記人検出手段により上記室内に人がいることが検出されるとき上記濃度を上記第１の濃度より低い第２の濃度に制御する
ことを特徴とする水噴出装置。
【請求項２】
酸性電解水を室内に噴出する水噴出部と、
上記室内に人がいるか否かを検出する人検出手段と、
上記酸性電解水のｐＨを制御する濃度制御手段とを備え、
上記濃度制御手段は、
上記人検出手段により上記室内に人がいないことが検出されるとき上記ｐＨを第１のｐＨに制御し、上記人検出手段により上記室内に人がいることが検出されるとき上記ｐＨを上記第１のｐＨより高い第２のｐＨに制御する
ことを特徴とする水噴出装置。
【請求項３】
室内に空気を吹き出す送風手段および室内空気を排気する換気手段の少なくとも１つの空調手段を有する室空調装置と、
抗菌作用のある金属イオンが溶出された水を噴出する水噴出装置とを有する室空調システムであって、
上記水噴出装置は、
上抗菌作用のある金属イオンが溶出された水を室内に噴出する水噴出部と、
上記室内に人がいるか否かを検出する人検出手段と、
上記水に溶出される金属イオンの濃度を制御する濃度制御手段とを備え、
上記濃度制御手段は、
上記人検出手段により上記室内に人がいないことが検出されるとき上記濃度を第１の濃度に制御し、上記人検出手段により上記室内に人がいることが検出されるとき上記濃度を上記第１の濃度より低い第２の濃度に制御する
ことを特徴とする室空調システム。
【請求項４】
室内に空気を吹き出す送風手段および室内空気を排気する換気手段の少なくとも１つの空調手段を有する室空調装置と、
酸性電解水を噴出する水噴出装置とを有する室空調システムであって、
上記水噴出装置は、
上記酸性電解水を室内に噴出する水噴出部と、
上記室内に人がいるか否かを検出する人検出手段と、
上記酸性電解水のｐＨを制御する濃度制御手段とを備え、
上記濃度制御手段は、
上記人検出手段により上記室内に人がいないことが検出されるとき上記ｐＨを第１のｐＨに制御し、上記人検出手段により上記室内に人がいることが検出されるとき上記ｐＨを上記第１のｐＨより高い第２のｐＨに制御する
ことを特徴とする室空調システム。
【請求項５】
請求項１または請求項２に記載の水噴出装置が天井または壁に取り付けられた
ことを特徴とする室。
【請求項６】
請求項３または請求項４に記載の室空調システムが天井または壁に取り付けられた
ことを特徴とする室。
【発明の詳細な説明】
【技術分野】
【０００１】
この発明は、浴室等に例えばミストを噴出する水噴出装置、室空調装置と水噴出装置との連係動作をさせる室空調システム、および水噴出装置または室空調システムが取り付けられてなる室に関する。
【背景技術】
【０００２】
従来より、温水をミストとして浴室内に噴出し、浴室の暖房を行うミストサウナ装置等と称される装置が提案されている。（例えば、特許文献１参照）。
【０００３】
ミストサウナ装置は、単数もしくは複数のミストノズルを浴室の壁面等に備え、給湯器から供給された温水をミストにして浴室内に噴出する構成である。
【０００４】
【特許文献１】特公平６−５９３０１号公報
【発明の開示】
【発明が解決しようとする課題】
【０００５】
しかし、従来のミストサウナ装置では、使用後には浴室内が水浸しになり、カビ増殖を促進するという虞があった。
【０００６】
この発明の目的は、室内の抗菌を、室内にいる人の体に影響を与えることなく、効果的に行うことにある。
【課題を解決するための手段】
【０００７】
この発明に係る水噴出装置は、抗菌作用のある金属イオンが溶出された水を室内に噴出する水噴出部と、室内に人がいるか否かを検出する人検出手段と、水に溶出される金属イオンの濃度を制御する濃度制御手段とを備え、濃度制御手段は、人検出手段により室内に人がいないことが検出されるとき濃度を第１の濃度に制御し、人検出手段により室内に人がいることが検出されるとき濃度を第１の濃度より低い第２の濃度に制御するものである。
【０００８】
この発明において、抗菌とは、単に細菌の増殖を抑えることのみならず、除菌（細菌を取り除くこと）、殺菌（細菌を殺すこと）、滅菌（細菌を死滅させること）等を含むものである。
【０００９】
またこの発明に係る水噴出装置は、酸性電解水を室内に噴出する水噴出部と、室内に人がいるか否かを検出する人検出手段と、酸性電解水のｐＨを制御する濃度制御手段とを備え、濃度制御手段は、人検出手段により室内に人がいないことが検出されるときｐＨを第１のｐＨに制御し、人検出手段により室内に人がいることが検出されるときｐＨを第１のｐＨより高い第２のｐＨに制御するものである。
【００１０】
また、この発明に係る室空調システムは、室内に空気を吹き出す送風手段および室内空気を排気する換気手段の少なくとも１つの空調手段を有する室空調装置と、抗菌作用のある金属イオンが溶出された水または酸性電解水を噴出する上述の水噴出装置とを有するものである。
【００１１】
また、この発明に係る室は、上述の水噴出装置または室空調システムが天井または壁に取り付けられてなるものである。
【００１２】
この発明において、例えば浴室等の天井または壁に、水噴出装置またはこの水噴出装置を含む室空調システムが取り付けられている。水噴出装置は、室内に、抗菌作用のある金属イオンが溶出された水または酸性電解水を噴出する。例えば水噴出装置は、金属イオンが溶出された水または酸性電解水を、ミストとしてミストノズルから噴出する、あるいはシャワーとしてシャワーヘッドから噴出する。
【００１３】
このように、室内に、抗菌作用のある金属イオンが溶出された水または酸性電解水を噴出させるため、室内の抗菌を効果的に行うことができる。
【００１４】
人検出手段（人体検出センサ、浴室照明スイッチ等）により室内に人がいるか否かが検出される。人検出手段により室内に人がいないことが検出されるとき、金属イオンの濃度が高濃度（第１の濃度）、例えば３００ｐｐｂとされ、あるいは酸性電解水のｐＨは低い値（第１のｐＨ）、例えばｐＨ２〜３程度とされる。これにより、室内の抗菌の能力を高めることができる。
【００１５】
一方、人検出手段により室内に人がいることが検出されるとき、金属イオンの濃度が低濃度（第２の濃度）、例えば１００ｐｐｂとされ、あるいは酸性電解水のｐＨは高い値（第２のｐＨ）、例えばｐＨ６程度とされる。これにより、室内にいる人の体に悪い影響を与えることが回避される。
【発明の効果】
【００１６】
この発明に係る水噴出装置によれば、抗菌作用のある金属イオンが溶出された水、または酸性電解水を室内に噴出し、しかも金属イオンの濃度を、室内に人がいないときは高くし、室内に人がいるときは低くし、または酸性電解水のｐＨを、室内に人がいないときは低い値とし、室内に人がいるときは高い値とするものであり、金属イオンが含まれた水あるいは酸性電解水による例えばミストにより、室内にいる人の体に悪影響を与えることなく、室内の抗菌を効果的に行うことができる。
【００１７】
また、この発明に係る室空調システムによれば、抗菌作用のある金属イオンが溶出された水、または酸性電解水を室内に噴出し、しかも金属イオンの濃度を、室内に人がいないときは高くし、室内に人がいるときは低くし、または酸性電解水のｐＨを、室内に人がいないときは低い値とし、室内に人がいるときは高い値とするものであり、金属イオンが含まれた水あるいは酸性電解水を例えばミストとして室内全体に行き渡らせることができ、室内にいる人の体に悪影響を与えることなく、室内の抗菌を効果的に行うことができる。
【００１８】
また、この発明に係る室によれば、天井または壁に上述の水噴出装置または室空調システムが取り付けられたものであり、室内にいる人の体に悪影響を与えることなく、室内の抗菌を効果的に行うことができる。
【発明を実施するための最良の形態】
【００１９】
以下、図面を参照しながら、この発明の実施の形態について説明する。
【００２０】
＜浴室システムの全体＞
図１は、実施の形態としての浴室システムを示している。この浴室システム１は、霧状にした温水（ミスト）を浴室１０１内に噴出するミスト発生装置２と、浴室１０１の暖房、換気等を行う浴室空調装置３と、ミスト発生装置２、浴室１０１等に温水を給湯するヒートポンプ給湯装置４とを備えている。ミスト発生装置２および浴室空調装置３はそれぞれ浴室１０１の天井に配設され、またヒートポンプ給湯装置４は、屋外に配置されている。
【００２１】
ここで、ミスト発生装置２は温水噴出装置を構成しており、このミスト発生装置２で使用する温水としてヒートポンプ給湯装置４より排出される温水が利用される。浴室空調装置３の熱源として、当該浴室空調装置３に内蔵した電気ヒータが利用される。
【００２２】
ミスト発生装置２は、電磁弁ユニット２Ａ、この電磁弁ユニット２Ａを駆動する電源部ユニット２Ｂおよびミストを噴出するノズルを備えたノズルユニット２Ｃとからなっている。電磁弁ユニット２Ａは、浴室１０１の天井裏に置かれるが、浴室１０１の天井に有する点検口１０１ａの近傍に配設される。この電磁弁ユニット２Ａには、後述するように銀イオンユニット（図１には図示せず）が含まれている。電磁弁ユニット２Ａを点検口１０１ａの近傍に配設することで、銀イオンユニットの交換を簡単に行うことができ、メンテナンスが容易となる。
【００２３】
電磁弁ユニット２Ａには、ヒートポンプ給湯装置４から排出される温水の供給を受けるための給水配管２ａと、ノズルユニット２Ｃに温水を供給するためのノズル配管２ｂと、温水を排水するためのドレン配管２ｃとが接続されている。ドレン配管２ｃの開放端は、浴槽１０１ｂの下面に配置されたドレンパン１０１ｃに対向するようにされている。ここで、給水配管２ａは第１の温水路を構成し、ノズル配管２ｂは第２の温水路を構成し、ドレン配管２ｃは第３の温水路を構成している。
【００２４】
ミスト発生装置２および浴室空調装置３は、主操作部６およびミスト操作部７の操作に基づいて動作する。主操作部６は、浴室空調装置３に内蔵された制御部（図１には図示せず）に電気ケーブル６ａで接続されたリモートコントロール装置である。この主操作部６（以下、「空調リモコン」という）は、洗面脱衣所１０２の壁に取り付けられている。ミスト操作部７は、電源部ユニット２Ｂに内蔵された制御部（図１には図示せず）に電気ケーブル７ａで接続されたリモートコントロール装置である。このミスト操作部７（以下、「ミストリモコン」という）は、浴室１０１の壁に取り付けられている。
【００２５】
また、浴室１０１内、例えば浴室空調装置３のフロントパネル２６に、人体検出センサ６９Ａが取り付けられている。この人体検出センサ６９Ａは、例えば赤外線センサを用いて構成されたものである（例えば特開平１０−１４２３５１号公報参照）。
【００２６】
＜電磁弁ユニット＞
図２は、電磁弁ユニット２Ａの構成を示している。この図２は、電磁弁ユニット２Ａの筐体２Ａ′の一側面を開放した状態を示している。
【００２７】
電磁弁ユニット２Ａは、筐体２Ａ′に、上述した給水配管２ａを接続するための接続部２ａ′と、上述したノズル配管２ｂを接続するための接続部２ｂ′と、上述したドレン配管２ｃを接続するための接続部２ｃ′とが固定されている。
【００２８】
この電磁弁ユニット２Ａの内部には、電磁弁２ｄ，２ｅ，２ｆ、銀イオンユニット２ｇおよび温度検出センサ２ｈが配されている。ここで、電磁弁２ｅ，２ｆは流路切替器を構成している。
【００２９】
ここで、銀イオンユニット２ｇは後述するように陽極側の銀電極から水中に銀イオンを溶出させるものであり、ある程度使用すると銀電極が小さくなって交換することが必要となる。したがって、この銀イオンユニット２ｇは、電磁弁ユニット２Ａ内に交換可能に配されている。
【００３０】
接続部２ａ′に電磁弁２ｄの一端が接続され、この電磁弁２ｄの他端は配管２ｉを介して銀イオンユニット２ｇの入力端に接続されている。また、この銀イオンユニット２ｇの出力端は配管２ｊを介して電磁弁２ｅの一端に接続され、この電磁弁２ｅの他端は接続部２ｂ′に接続されている。さらに、銀イオンユニット２ｇの出力端は配管２ｋを介して電磁弁２ｆの一端に接続され、この電磁弁２ｆの他端は接続部２ｃ′に接続されている。温度検出センサ２ｈは、配管２ｈに取り付けられており、この配管２ｈを流れる水（温水）の温度を検出する。
【００３１】
銀イオンユニット２ｇは、金属イオン発生器を構成しており、配管２ｉからの水に抗菌作用のある銀イオンを溶出し、この銀イオンが溶出された水を配管２ｊ，２ｋに供給する。この銀イオンユニット２ｇにおける基本的な構成は以下の通りである。すなわち、陰極側の電極と陽極側の銀からなる電極とが水に浸された状態で対向して配置され、これらの電極間に電圧が印加されることで、陽極側の電極から水中に銀イオンが溶出される。この場合、陽極側で、Ａｇ→Ａｇ+＋ｅ-の反応が起こる。この銀イオンは、５ppb〜１０ppb程度の濃度で強い抗菌の効果を示し、人体に対して影響のないことで知られている。
【００３２】
ここで、電極間に印加される電圧の値、あるいは電極間に間欠的に電圧を印加する場合の印加時間の割合を制御することで陽極側の電極から水中に溶出される銀イオンの量を制御できる。
【００３３】
図２に示す電磁弁ユニット２Ａの動作を説明する。電磁弁２ｄが開くことで、給水配管２ａ（図１参照）からの温水が接続部２ａ′から電磁弁２ｄおよび配管２ｉを通じて銀イオンユニット２ｇに供給される。そして、電磁弁２ｅを開くことで、銀イオンユニット２ｇで銀イオンが溶出された温水が配管２ｊ、電磁弁２ｅおよび接続部２ｂ′を通じてノズル配管２ｂ（図１参照）に供給される。また、電磁弁２ｅの代わりに電磁弁２ｆを開くことで、銀イオンユニット２ｇで銀イオンが溶出された温水が配管２ｋ、電磁弁２ｆおよび接続部２ｃ′を通じてドレン配管２ｃ（図１参照）に供給される。
【００３４】
＜ノズルユニット＞
図３Ａ〜Ｃは、ノズルユニット２Ｃの構成を示している。図３Ａは、ノズルユニット２Ｃの正面図、図３Ｂはノズルユニット２Ｃの下側から見た平面図、図３Ｃはノズルユニット２Ｃの側面図を示している。
【００３５】
このノズルユニット２Ｃは、ミストを噴出するためのノズル２ｍを長手方向の下部に複数個、ここでは３個直列に配置しており、全体として直方体状の可動部２Ｃaと、この可動部２Ｃaの長手方向の両側にそれぞれ配置された固定部２Ｃb1，２Ｃb2とからなっている。固定部２Ｃb1，２Ｃb2は、浴室１０１の天井に固定され、可動部２Ｃaを回動可能に軸支している。
【００３６】
固定部２Ｃb1は、図示せずも可動部２Ｃaを回動駆動するための、モータ、減速機構等を備えた駆動機構を備えている。この駆動機構により、可動部２Ｃaを回動させ、ノズル２ｍが所定方向に向くように制御することが可能となっている。
【００３７】
固定部２Ｃb2はノズル配管２ｂ（図１参照）を接続するための接続部２ｎを備えている。この接続部２ｎにノズル配管２ｂから供給される温水は、図示しない固定部２Ｃb2内の配管および可動部２Ｃa内の配管を通じて各ノズル２ｍに供給され、ミストとして噴出される。
【００３８】
＜浴室空調装置＞
図４、図５は、浴室空調装置３の構成を示している。図４は、浴室空調装置３の内部構成を示す断面図であり、図５は浴室空調装置３の分解斜視図である。
【００３９】
浴室空調装置３は、ファン部３２と、熱源としてのヒータ部３３とを備える。ファン部３２は、本体ケース３４に取り付けられている。ファン部３２は、回転駆動される多翼のファン３５と、このファン３５を回転駆動するファンモータ３６と、このファンモータ３６が取り付けられると共に、風路を形成するファンケース３７とを備えている。
【００４０】
ファン３５は縦向きに配置されている。ファンケース３７のファン３５の軸方向に沿った下面が開口し、吸込口３８とされている。また、ファンケース３７のファン３５の軸方向とは直交する方向に沿った一の側面が開口し、この開口部に風路切換部３９が備えられている。
【００４１】
風路切換部３９は風路を切り換えるダンパ４０を備える。ダンパ４０は後述するダンパモータの駆動力がカム４０ａを介して伝達され、軸４０ｂを支点に回転して開閉動作を行う。ファンケース３７は、風路切換部３９と連通して下面に吹出口４１を備えると共に、風路切換部３９と連通して一の側面に排気口４２を備えている。この場合、ダンパ４０の位置によって、吸込口３８から吹出口４１へ連通した風路、あるいは吸込口３８から排気口４２へ連通した風路が形成される。
【００４２】
図６Ａは、ダンパ４０を全閉にした状態を示す。ダンパ４０を全閉にすると、排気口４２への風路が遮断され、吸込口３８から吹出口４１へ連通した循環風路４３ａが形成される。このため、ダンパ４０が全閉となる位置をダンパ４０の循環位置と称する。
【００４３】
図６Ｂは、ダンパ４０を全開にした状態を示す。ダンパ４０を全開にすると、吹出口４１への風路が遮断され、吸込口３８から排気口４２へ連通した換気風路４３ｂが形成される。このため、ダンパ４０が全開となる位置をダンパ４０の換気位置と称する。
【００４４】
図６Ｃは、ダンパ４０を循環位置と換気位置の中間位置にした状態を示す。ダンパ４０を循環位置と換気位置の中間位置にすると、吸気口３８から吹出口４１へ連通した循環風路４３ａと、吸気口３８から排気口４２へ連通した換気風路４３ｂの双方が形成される。この中間位置を循環換気位置と称する。
【００４５】
ファンケース３７は、ヒータ部３３の上流側にイオン発生器４４を備える。イオン発生器４４はイオン発生手段の一例で、ダンパ４０を循環位置あるいは循環換気位置とすることで形成される循環風路４３ａにイオン放出面が露出する。
【００４６】
イオン発生器４４は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００４７】
これらＨ+（Ｈ2Ｏ）mおよびＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで不活化することができる。ここで、・ＯＨは活性種の１種であり、ラジカルのＯＨを示している。
【００４８】
これにより、ファン部３２の運転と連動させて略同数の正イオンと負イオンを発生させ、略同数の正イオンと負イオンを含む空気を送風することで、循環する空気に含まれる浮遊細菌と、図１に示す浴室１０１の空気中の浮遊細菌の双方を不活化して、カビの発生等を抑えることができる。
【００４９】
ヒータ部３３は電気ヒータで構成される加熱手段の一例で、上述した吹出口４１に備えられる。図６Ａに示すように、ダンパ４０の位置を循環位置にし、ファンモータ３６によりファン３５を回転駆動すると、空気が吸込口３８から吸い込まれ、循環風路４３ａを通り吹出口４１から吹き出す。ヒータ部３３に通電すると、ヒータ部３３が加熱することで吹出口４１を通る空気が温められ、温風が吹出口４１から吹き出す。ここで、ヒータ部３３としては例えばＰＴＣ(Positive Temperature Coefficient)ヒータを使用できる。
【００５０】
ファンケース３７の吸込口３８に対応した部分に、温度検出センサ６９が取り付けられている。この温度検出センサ６９は、浴室１０１の温度を検出するためのものである。
【００５１】
本体ケース３４は、図５に示すように、下面が開口し、ファン部３２の吸込口３８と吹出口４１が露出するようにされている。この本体ケース３４の下面開口部に、フロントパネル２６が取り付けられる。
【００５２】
フロントパネル２６は、本体ケース３４に着脱できるように構成されている。このフロントパネル２６は、ファン部３２の吸込口３８と対向して吸込グリル４５を備えると共に、ファン部３２の吹出口４１と対向して吹出グリル４６を備える。また、フロントパネル２６の吸込グリル４５の裏側に、フィルタ４７が交換可能に取り付けられる。
【００５３】
本体ケース３４は、ファン部３２の排気口４２と連通する排気ダクト接続部４８を一の側面に備える。この排気ダクト接続部４８に、図１に示すように、排気ダクト８が接続される。
【００５４】
浴室空調装置３の動作を説明する。ファンモータ３６が回転駆動されると、ファン部３２のファン３５が回転する。ファン３５が回転すると、フロントパネル２６の吸込グリル４５を介して、ファン部３２の吸込口３８から浴室１０１の空気が吸い込まれる。
【００５５】
ダンパ４０の位置が図６Ａに示す循環位置にあると、ファン部３２において吸込口３８から吹出口４１への循環風路４３ａが形成されるので、吸込口３８から吸い込まれた空気は、循環風路４３ａを通り吹出口４１からフロントパネル２６の吹出グリル４６を介して浴室１０１内に吹き出される。
【００５６】
ヒータ部３３は循環風路４３ａの吹出口４１に配置されるので、ヒータ部３３が駆動されることで、循環風路４３ａを通る空気は、このヒータ部３３で温められて吹出グリル４６から吹き出す。これにより、ダンパ４０を循環位置として、ファンモータ３６が回転駆動されると、ヒータ部３３を駆動した場合は、浴室１０１内の空気を循環させながら、浴室１０１内に温風を吹き出させることができる。
【００５７】
ダンパ４０の位置が図６Ｂに示す換気位置にあると、ファン部３２において吸込口３８から排気口４２への換気風路４３ｂが形成されるので、吸込口３８から吸い込まれた空気は、換気風路４３ｂおよび排気口４２を通り、さらに、図１に示す排気ダクト８を通って排気グリル８ａから屋外へ排気される。これにより、ダンパ４０を換気位置として、ファンモータ３６が回転駆動されると、浴室１０１内の湯気や湿気が排気される。
【００５８】
ダンパ４０の位置が図６Ｃに示す循環換気位置にあると、ファン部３２において吸込口３８から吹出口４１への循環風路４３ａおよび吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂおよび排気口４２を通り、さらに、図１に示す排気ダクト８を通って排気グリル８ａから屋外へ排気される。
【００５９】
これにより、ダンパ４０を循環換気位置として、ファンモータ３６が回転駆動されると、ヒータ部３３が非駆動の場合は、浴室１０１内の空気を循環させながら、浴室１０１内の湯気や湿気が排気される。また、ヒータ部３３を駆動した場合は、浴室１０１内の空気を循環させてこの浴室１０１内に温風を吹き出しながら、浴室１０１内の湯気や湿気が排気される。
【００６０】
＜ヒートポンプ給湯システム＞
図７は、ヒートポンプ給湯装置４の構成を示している。このヒートポンプ給湯装置４は、図１に示すミスト発生装置２、浴室１０１、洗面脱衣所１０２等に温水を供給するヒートポンプ給湯器５１Ａと、ミスト発生装置２に供給する温水の温度および給湯圧を制御する温圧制御装置５２Ａとを備える。
【００６１】
ヒートポンプ給湯器５１Ａは、大気と冷媒との間の熱交換および冷媒と水との間の熱交換で温水を生成するヒートポンプユニット５３と、ヒートポンプユニット５３で生成された温水を貯水する貯湯タンクユニット５４とを備える。
【００６２】
ヒートポンプユニット５３は、大気と冷媒との間で熱交換を行って、冷媒の温度を上昇させる空気熱交換器５５と、冷媒と水との間で熱交換を行って、水の温度を上昇させる水熱交換器５６を備える。
【００６３】
また、ヒートポンプユニット５３は、空気熱交換器５５に大気を供給するファン５５ａと、空気熱交換器５５と水熱交換器５６との間を接続して、空気熱交換器５５と水熱交換器５６との間で冷媒を循環させる冷媒配管５７を備える。
【００６４】
さらに、ヒートポンプユニット５３は、空気熱交換器５５と水熱交換器５６の間で空気熱交換器５５の下流側に、空気熱交換器５５で熱交換されて冷媒配管５７を流れる冷媒を圧縮して、温度を更に上昇させる圧縮機５８を備える。また、ヒートポンプユニット５３は、空気熱交換器５５と水熱交換器５６の間で水熱交換器５６の下流側に、水熱交換器５６で熱交換されて冷媒配管５７を流れる冷媒を膨張させて、温度を低下させる膨張弁５９を備える。
【００６５】
貯湯タンクユニット５４は、ヒートポンプユニット５３で生成された温水を貯水するタンク６０を備える。タンク６０は、下部側に水が供給されると共に、上部側に温水が供給されて、下部側に比べて上部側の温度が高くなる層化した状態で温水を貯水する。
【００６６】
ヒートポンプユニット５３と貯湯タンクユニット５４は、水熱交換器５６とタンク６０の間が温水配管６１ａおよび冷水配管６１ｂで接続され、冷水配管６１ｂにポンプ６１ｃが備えられている。
【００６７】
温水配管６１ａは、水熱交換器５６の流出側と、タンク６０の上部側に設けられる流入口６０ａとの間を接続する。また、冷水配管６１ｂは、水熱交換器５６の流入側と、タンク６０の下部側に設けられる流出口６０ｂの間を接続する。
【００６８】
ポンプ６１ｃは、冷水配管６１ｂを介してタンク６０の流出口６０ｂから水を吸い込んで水熱交換器５６に供給し、水熱交換器５６を通過して生成された温水を、温水配管６１ａを介して流入口６０ａからタンク６０に供給する。
【００６９】
また、タンク６０に貯水された温水を取水する取水配管６２と、タンク６０に給水を行う給水配管６３とが、それぞれ、タンク６０に接続されている。取水配管６２は、流入口６０ａと独立してタンク６０の上部に設けられる高温部取水口６０ｃと接続される高温部取水配管６２ａと、高温部取水口６０ｃより下側に設けられる中温部取水口６０ｄに接続される中温部取水配管６２ｂを備えている。
【００７０】
また、取水配管６２は、高温部取水配管６２ａと中温部取水配管６２ｂの合流箇所に切換弁６２ｃを備え、タンク６０における取水元が、高温部取水口６０ｃか中温部取水口６０ｄに切り替えられる。
【００７１】
給水配管６３は、流出口６０ｂと独立してタンク６０の下部に設けられる給水口６０ｅと接続されると共に、タンク６０の手前で分岐した分岐給水配管６３ａを備える。
【００７２】
さらに、貯湯タンクユニット５４は、取水配管６２から供給される温水と、分岐給水配管６３ａから供給される水を混合させる給湯混合弁６４を備える。給湯混合弁６４は、取水配管６２と分岐給水配管６３ａの合流箇所に備えられ、取水配管６２から供給される温水と、分岐給水配管６３ａから供給される水の混合比を切り替えて、給湯配管６５から供給される温水の温度を調整する。
【００７３】
給湯配管６５は、図１に示す浴室１０１のシャワー１０１ａや浴槽１０１ｂ、洗面脱衣所１０２の蛇口１０２ａおよび図示しない台所の蛇口等と接続され、温水を供給する。
【００７４】
また、浴室１０１に接続される給湯配管６５からミスト給湯配管６５ａを分岐させ、ミスト給湯配管６５ａに温圧制御装置５２Ａが接続される。温圧制御装置５２Ａは、ヒートポンプ給湯器５１Ａから供給される温水の給湯圧を上昇させる加圧装置６６と、給湯圧を上昇させた温水の温度を上昇させる加熱装置６７を備える。
【００７５】
加圧装置６６は、ミスト給湯配管６５ａに備えられる例えば加圧ポンプで、送水量を増加させる等によって給湯圧を上昇させる。加熱装置６７は、例えばミスト給湯配管６５ａの周囲に配置される図示しない配管に温水を循環させて、ミスト給湯配管６５ａを流れる温水を加熱する温水循環型の加熱装置である。
【００７６】
また、温圧制御装置５２Ａは、ミスト給湯配管６５ａから供給される温水と、給水配管６３から分岐したミスト給水配管６３ｂから供給される水を混合させる混合弁６８を備える。混合弁６８は、加熱装置６７の下流側のミスト給湯配管６５ａと、ミスト給水配管６３ｂの合流箇所に備えられ、加熱装置６７で温度を上昇させた温水と、ミスト給水配管６３ｂから供給される水の混合比を切り替える。
【００７７】
ミスト発生装置２は、混合弁６８の下流側に接続される。すなわち、ミスト発生装置２の電磁弁ユニット２Ａは混合弁６８の下流側の給水配管２ａに接続される（図１参照）。加熱装置６７で温度を上昇させた温水と、ミスト給水配管６３ｂから供給される水の混合比が混合弁６８で切り替えられることで、ミスト発生装置２に供給される温水の温度が調整される。
【００７８】
次に、ヒートポンプ給湯装置４の動作を説明する。
【００７９】
貯湯タンクユニット５４のタンク６０に、給水配管６３から水が供給される。タンク６０に供給された水は、冷水配管６１ｂによりヒートポンプユニット５３の水熱交換器５６に供給される。
【００８０】
ヒートポンプユニット５３では、ファン５５ａにより空気熱交換器５５に大気が供給され、冷媒配管５７を流れる冷媒との間で熱交換が行われ、冷媒の温度が上昇する。空気熱交換器５５で熱交換が行われた冷媒は、圧縮機５８で圧縮されることで、温度がさらに上昇する。
【００８１】
そして、圧縮機５８で圧縮されて温度を上昇させた冷媒は、水熱交換器５６に供給される。これにより、水熱交換器５６においては、大気との熱交換および圧縮により温度が上昇した冷媒と、貯湯タンクユニット５４から供給された水との間で熱交換が行われ、温水が生成される。この水熱交換器５６で熱交換された冷媒は、膨張弁５９で膨張されて温度が低下し、再度空気熱交換器５５に供給される。
【００８２】
また、水熱交換器５６で熱交換されて生成された温水は、温水配管６１ａによりタンク６０に戻される。これにより、タンク６０は、上部側が温度が高く、下部側が温度の低い層化した状態で温水と水が貯水される。タンク６０に貯水された温水は、取水配管６２により取水される。ここで、切替弁６２ｃにより、供給温水の温度が高い場合は高温部取水配管６２ａから温水が取られ、供給温水の温度が低い場合は中温部取水配管６２ｂから温水を取られる。
【００８３】
取水配管６２により取水された温水は、分岐給水配管６３ｂから供給される水と給湯混合弁６４で混合される。給湯混合弁６４で温水と水の混合比を切り替えることで、給湯配管６５から供給される温水の温度が調整される。そして、給湯配管６５から供給される温水は、浴室１０１、洗面脱衣所１０２および台所１０３に分配される。
【００８４】
一方、給湯配管６５から供給される温水は、温圧制御装置５２Ａで温度と給湯圧が制御されて、ミスト給湯配管６５ａ（給水配管２ａ）によりミスト発生装置２に供給される。すなわち、温圧制御装置５２Ａは、ミスト給湯配管６５ａに供給された温水の給湯圧を加圧装置６６で上昇させる。これにより、ヒートポンプ給湯器５１Ａから給湯される温水を、ミスト発生装置２でのミストの発生に適した給湯圧に上昇させる。
【００８５】
また、ミスト給湯配管６５ａに供給され、加圧装置６６で給湯圧を上昇させた温水を、加熱装置６７で加熱して温度を上昇させる。ヒートポンプ給湯器５１Ａから給湯される温水は、浴室１０１等で設定されている給湯温度に制限されるが、温圧制御装置５２Ａの加熱装置６７で温度を上昇させることで、ヒートポンプ給湯器５１Ａ側での給湯温度の制限によらず、ミスト発生装置２に供給する温水の温度が制御される。
【００８６】
例えば、ヒートポンプ給湯器５１Ａから給湯される温水の給湯温度より、ミスト発生装置２に供給する温水の温度を上げることができる。また、ミスト給湯配管６５ａから給湯される温圧が制御された温水と、ミスト給水配管６３ｂから供給される水を混合弁６８で混合させることで、温水と水の混合比を切り替えて、ミスト発生装置２に給湯する温水の温度を制御できる。例えば、水のみを供給することも可能である。
【００８７】
なお、加圧装置６６、加熱装置６７、混合弁６８を設けずに、ミスト給湯配管６５ａからの温水をそのままミスト発生装置２に供給するようにしてもよい。
【００８８】
＜空調リモコン、ミストリモコン＞
図８は、ミストリモコン（ミスト操作部）７の操作面を示している。
【００８９】
このミストリモコン７は、入浴ミストモードの運転および運転停止を選択する入浴ミストボタン７ｂと、銀イオンミストモードにするか否かを選択する銀イオンミストボタン７ｃとを備えている。これらのボタン７ｂ，７ｃに対応して、それぞれのモードの選択時に発光制御されるＬＥＤ(Light Emitting Diode)等の発光素子７ｂ′，７ｃ′が設けられている。
【００９０】
また、このミストリモコン７は、入浴ミストモードの運転を停止する運転停止ボタン７ｄと、電磁弁ユニット２Ａ内に配設されている銀イオンユニット２ｇの交換時期を発光で知らせるＬＥＤ等の発光素子７ｅと、その交換時期をブザー音で知らせるブザー７ｆとを備えている。この場合、発光素子７ｅは、銀イオンユニット２ｇの交換時期がくると連続発光あるいは点滅発光するように制御される。これに対して、ブザー７ｆは、例えば、銀イオンユニット２ｇの交換時期がきた後、銀イオンユニット２ｇから温水または水に銀イオンを溶出する運転モードが選択された場合にブザー音が出るように制御される。
【００９１】
図９は、空調リモコン（主操作部）６の操作面を示している。
【００９２】
この空調リモコン６は、入浴ミストモードの運転および運転停止を選択する入浴ミストボタン６ｂと、銀イオンミストモードにするか否かを選択する銀イオンミストボタン６ｃとを有している。入浴ミストボタン６ｂ、銀イオンミストボタン６ｃは、それぞれ、上記したミストリモコン７の入浴ミストボタン７ｂ、銀イオンミストボタン７ｃに対応したボタンである。これらのボタン６ｂ，６ｃに対応して、それぞれのモードの選択時に発光制御されるＬＥＤ(Light Emitting Diode)等の発光素子６ｂ′，６ｃ′が設けられている。
【００９３】
また、空調リモコン６は、衣類乾燥モードの運転および運転停止を選択する衣類乾燥ボタン６ｄと、涼風モードの運転および運転停止を選択する涼風ボタン６ｅと、暖房モードの運転および運転停止を選択する暖房ボタン６ｆと、標準換気モードの運転、浴室乾燥モードの運転およびそれらの運転停止を選択する換気ボタン６ｇとを備えている。これらのボタン６ｄ〜６ｇに対応して、例えば運転時に発光制御されるＬＥＤ等の発光素子６ｄ′，６ｅ′，６ｆ′，６g1′，６g2′が設けられている。
【００９４】
また、空調リモコン６は、電磁弁ユニット２Ａ内に配設されている銀イオンユニット２ｇの交換時期を発光で知らせるＬＥＤ等の発光素子６ｈと、時刻、浴室温度、運転モード等を表示する例えばＬＣＤ(Liquid Crystal Display)等で構成される表示素子６ｉと、タイマーの時間設定等を行うためのアップダウンキー６ｊとを備えている。発光素子６ｈは、上述したミストリモコン７に備えられている発光素子７ｅに対応したものである。
【００９５】
＜浴室空調装置およびミスト発生装置の制御系＞
図１０は、浴室空調装置３およびミスト発生装置２の制御系の構成を示している。
【００９６】
浴室空調装置３は、ＣＰＵ(Central Processing Unit)を有する制御部５Ａを備えている。上述した空調リモコン６は、電気ケーブル６ａを介して、この浴室空調装置３の制御部５Ａに接続されている。この制御部５Ａには、上述したように、吸込口３８に対応して取り付けられた、浴室１０１内の温度を検出するための温度検出センサ６９が接続される。また、この制御部５Ａには、上述したように、浴室空調装置３のフロントパネル２６に取り付けられた人体検出センサ６９Ａが接続される。また、この制御部５Ａには、浴室照明スイッチ６９Ｂから、このスイッチがオンされたか否かを示す信号が供給される。この制御部５Ａから、ファンモータ３３、ダンパモータ４０ｃ、ヒータ部３３およびイオン発生器４４に、動作を制御するための制御信号が供給される。
【００９７】
また、電源部ユニット２Ｂは、電源部２Ｂａと、電磁弁駆動部２Ｂｂと、ＣＰＵを有する制御部２Ｂｃとを備えている。電源部２Ｂａは、家庭用交流電源、例えばＡＣ１００Ｖから、電磁弁を駆動するために使用する２４Ｖの直流電圧、さらには銀イオンユニット２ｇに印加するための直流電圧、ノズルユニット２のモータを駆動するための直流電圧等を生成する。
【００９８】
電磁弁駆動部２Ｂｂは、制御部２Ｂｃによる制御の下、電源部２Ｂａで生成される２４Ｖの直流電圧を用いて、電磁弁ユニット２Ａを構成する電磁弁２ｄ，２ｅ，２ｆを駆動する。この場合、電磁弁２ｄ，２ｅ，２ｆは、それぞれ、２４Ｖの直流電圧が印加されることで開状態とされる。
【００９９】
制御部２Ｂｃには、上述したように、電磁弁ユニット２Ａに取り付けられた温度検出センサ２ｈが接続される。上述したミストリモコン７は、電気ケーブル７ａを介して、この電源部ユニット２Ｂの制御部２Ｂｃに接続されている。この制御部２Ｂｃは、電磁弁駆動部２Ｂｂの動作を制御し、また電源部２Ｂａで生成される直流電圧を用いて、銀イオンユニット２ｇの銀イオン発生の動作を制御する。さらに、この制御部２Ｂｃは、ノズルユニット２のノズル２ｍの方向を制御する。
【０１００】
また、浴室空調装置３の制御部５Ａと電源部ユニット２Ｂの制御部２Ｂｃとは互いに接続され、浴室空調装置３とミスト発生装置２との連係動作が可能となされている。
【０１０１】
＜入浴ミスト（銀イオンミストオン）モードの動作＞
ミストリモコン７で、銀イオンミストボタン７ｃが押されて銀イオンミストオンとされ、その後に入浴ミストボタン７ｂが押されて入浴ミストオンとされるとき、あるいは空調リモコン６で、銀イオンミストボタン６ｃが押されて銀イオンミストオンとされ、その後に入浴ミストボタン６ｂが押されて入浴ミストオンとされるとき、入浴ミスト（銀イオンミストオン）モードとなり、このモードの動作が開始される。
【０１０２】
図１１は、この入浴ミスト（銀イオンミストオン）モードの動作を示すフローチャートである。
【０１０３】
ステップＳＴ１では、銀イオンミストオンとされ、その後に入浴ミストオンとされることで、動作が開始される。
【０１０４】
次に、ステップＳＴ２で、浴室空調装置３のヒータ部３３に通電され、このヒータ部３３が加熱される。また、浴室空調装置３のファンモータ３６に通電され、ファン３５が回転される。この場合、ダンパ４０は全閉、つまり循環位置（図６Ａ参照）とされる。
【０１０５】
この場合、ファン部３２において吸込口３８から吹出口４１への循環風路４３ａが形成されるので、吸込口３８から吸い込まれた空気は、循環風路４３ａを通り、ヒータ部３３で暖められて、吹出口４１からフロントパネル２６の吹出グリル４６を介して浴室１０１内に吹き出される。
【０１０６】
次に、ステップＳＴ３で、ノズルユニット２Ｃが制御され、ノズル２ｍが浴槽１０１ｂ側に向くように回動される。これにより、人の頭にミストがかからないようにされる。
【０１０７】
次に、ステップＳＴ４で、排水処理が行われる。この場合、電磁弁ユニット２Ａにおいて、電磁弁２ｄ（電磁弁１）および電磁弁２ｆ（電磁弁３）が開かれる（図２参照）。ヒートポンプ給湯装置４から給水配管２ａで供給される温水は、電磁弁２ｄ、銀イオンユニット２ｇおよび電磁弁２ｆを介して、ドレン配管２ｃに供給される（図１、図２参照）。
【０１０８】
次に、ステップＳＴ５で、銀イオンユニット２ｇに通電され、この銀イオンユニット２ｇから温水に銀イオンが溶出される。この場合、銀イオン濃度は、印加電圧の値、あるいは間欠的に電圧を印加する場合の印加時間の割合を制御することで、高濃度、例えば３００ｐｐｂに制御される。
【０１０９】
これにより、ドレン配管２ｃに供給される温水は高濃度の銀イオンが含まれたものとなり、ドレン管２ｃやドレンパン１０１ｃの抗菌が行われ、これらにおけるカビ菌等の菌の繁殖が効果的に防止される。
【０１１０】
次に、ステップＳＴ６で、電磁弁ユニット２Ａ内に配設された温度検出センサ２ｈの検出出力に基づいて、給水配管２ａを介して電磁弁ユニット２Ａに供給される温水の温度が所定値以上、例えば３５゜以上となったか否か判定される。温度が所定値以上となった後に、ステップＳＴ７に進む。
【０１１１】
このステップＳＴ７では、ミスト発生処理が行われる。このように、電磁弁ユニット２Ａに供給される温水の温度が所定値以上となった後にミスト発生処理が行われるようにすることで、浴室１０１中に存在する人が、ミストによって肌寒さを感じないようにされる。
【０１１２】
この場合、電磁弁ユニット２Ａにおいて、電磁弁２ｆ（電磁弁３）は閉じられ、電磁弁２ｅ（電磁弁２）が開かれる（図２参照）。この場合、ヒートポンプ給湯装置４から給水配管２ａで供給される温水は、電磁弁２ｄ、銀イオンユニット２ｇおよび電磁弁２ｅを介して、ノズル配管２ｂに供給される（図１、図２参照）。
【０１１３】
そして、ステップＳＴ８で、銀イオンユニット２ｇの印加電圧の値等が変更され、この銀イオンユニット２ｇから温水に溶出される銀イオンの濃度が、人体に影響のない濃度で、かつ抗菌作用のある低濃度、例えば１００ｐｐｂに制御される。
【０１１４】
これにより、ノズル配管２ｂからノズルユニット２Ｃの各ノズル２ｍに温水が供給され、浴室１０１内にミストとして噴出される。そして、この温水には銀イオンが含まれているので、浴室１０１の内壁、床面、さらには浴室空調装置３の風路の抗菌が行われ、これらにおけるカビ菌等の菌の繁殖が効果的に防止される。
【０１１５】
次に、ステップＳＴ９で、入浴ミストボタン７ｂまたは６ｂが押されて入浴ミストオフとなったか、あるいは運転停止ボタン７ｄが押されて停止が指示されたか否かが判定される。入浴ミストオフとなったか、あるいは停止が指示されたときは、ステップＳＴ１０に進む。このステップＳＴ１０では、浴室空調装置３の動作が停止される。すなわち、浴室空調装置３のヒータ部３３およびファンモータ３６への通電が止められる。
【０１１６】
次に、ステップＳＴ１１で、銀イオンユニット２ｇへの通電が止められ、銀イオンユニット２ｇから温水への銀イオンの溶出が停止される。そして、ステップＳＴ１２で、水抜き処理が行われる。この場合、電磁弁ユニット２Ａにおいて、電磁弁２ｄ（電磁弁１）が閉じられ、電磁弁２ｆ（電磁弁３）が開かれる（図２参照）。これにより、ノズル配管２ｂに残っている温水は、電磁弁２ｅおよび２ｆを介して、ドレン配管２ｃに供給される（図１、図２参照）。
【０１１７】
そして、ステップＳＴ１３で、水抜き処理に必要な所定時間、例えば３秒が経過したか否かが判定される。所定時間が経過したときは、ステップＳＴ１４に進む。このステップＳＴ１４では、停止処理が行われる。この場合、電磁弁ユニット２Ａにおいて、電磁弁２ｅ（電磁弁２）および電磁弁２ｆ（電磁弁３）が閉じられる（図２参照）。なおこのとき、ノズルユニット２Ｃも制御され、ノズル２ｍの向きが元の位置に戻される。
【０１１８】
この停止処理の後に、ステップＳＴ１５で、入浴ミスト（銀イオンミストオン）モードの一連の動作が終了する。
【０１１９】
＜入浴ミスト（銀イオンミストオン）モードの他の動作＞
図１１のフローチャートでは、入浴ミストオフとなったか、あるいは停止が指示されたときは、ミスト発生装置２に関しては、直ちに水抜き処理を行うものであるが、高濃度の銀イオンが含まれた温水をドレン管２ｃに流す排水処理を行ってから、水抜き処理に行うようにしてもよい。
【０１２０】
図１２のフローチャートは、排水処理を行ってから水抜き処理を行うようにしたものである。この図１２において、図１１と対応するステップには同一符号を付し、その詳細説明は省略する。
【０１２１】
ステップＳＴ１０で浴室空調装置３の動作を停止させた後に、ステップＳＴ１６に進む。このステップＳＴ１６では、排水処理が行われる。この場合、電磁弁ユニット２Ａにおいて、電磁弁２ｅ（電磁弁２）が閉じられ、電磁弁２ｆ（電磁弁３）が開かれる（図２参照）。ヒートポンプ給湯装置４から給水配管２ａで供給される温水は、電磁弁２ｄ、銀イオンユニット２ｇおよび電磁弁２ｆを介して、ドレン配管２ｃに供給される（図１、図２参照）。
【０１２２】
次に、ステップＳＴ１７で、銀イオンユニット２ｇの印加電圧の値等が変更され、この銀イオンユニット２ｇから温水に溶出される銀イオンの濃度が、再び高濃度である、例えば３００ｐｐｂに制御される。
【０１２３】
これにより、ドレン配管２ｃに供給される温水は高濃度の銀イオンが含まれたものとなり、ドレン配管２ｃやドレンパン１０１ｃの抗菌が再び行われ、これらにおけるカビ菌等の菌の繁殖が効果的に防止される。
【０１２４】
次に、ステップＳＴ１８で、抗菌のための排水処理に必要な所定時間、例えば５秒が経過したか否かが判定される。所定時間が経過したときは、ステップＳＴ１１に進み、銀イオンの発生が停止され、その後ステップＳＴ１２′で、水抜き処理が行われる。
【０１２５】
なお、このステップＳＴ１２′では、電磁弁ユニット２Ａにおいて、電磁弁２ｄ（電磁弁１）が閉じられ、電磁弁２ｅ（電磁弁２）が開かれ、図１１のフローチャートのステップＳＴ１２と異なる電磁弁制御となるが、結果的には電磁弁２ｅ（電磁弁２）および電磁弁２ｆ（電磁弁３）の双方が開かれた状態となり、ノズル配管２ｂに残っている温水が、電磁弁２ｅおよび２ｆを介して、ドレン配管２ｃに供給される（図１、図２参照）。
【０１２６】
＜入浴ミストモードの動作＞
ミストリモコン７で入浴ミストボタン７ｂが押されて入浴ミストオンとされるとき、あるいは空調リモコン６で入浴ミストボタン６ｂが押されて入浴ミストオンとされるとき、入浴ミストモードとなり、このモードの動作が開始される。
【０１２７】
図１３は、この入浴ミストモードの動作を示すフローチャートである。
【０１２８】
ステップＳＴ２１では、入浴ミストオンとされることで、動作が開始される。
【０１２９】
次に、ステップＳＴ２２で、浴室空調装置３のヒータ部３３に通電され、このヒータ部３３が加熱される。また、浴室空調装置３のファンモータ３６に通電され、ファン３５が回転される。この場合、ダンパ４０は全閉、つまり循環位置（図６Ａ参照）とされる。
【０１３０】
この場合、ファン部３２において吸込口３８から吹出口４１への循環風路４３ａが形成されるので、吸込口３８から吸い込まれた空気は、循環風路４３ａを通り、ヒータ部３３で暖められて、吹出口４１からフロントパネル２６の吹出グリル４６を介して浴室１０１内に吹き出される。
【０１３１】
次に、ステップＳＴ２３で、ノズルユニット２Ｃが制御され、ノズル２ｍが浴槽１０１ｂ側に向くように回動される。これにより、人の頭にミストがかからないようにされる。
【０１３２】
次に、ステップＳＴ２４で、排水処理が行われる。この場合、電磁弁ユニット２Ａにおいて、電磁弁２ｄ（電磁弁１）および電磁弁２ｆ（電磁弁３）が開かれる（図２参照）。ヒートポンプ給湯装置４から給水配管２ａで供給される温水は、電磁弁２ｄ、銀イオンユニット２ｇおよび電磁弁２ｆを介して、ドレン配管２ｃに供給される（図１、図２参照）。
【０１３３】
次に、ステップＳＴ２５で、電磁弁ユニット２Ａ内に配設された温度検出センサ２ｈの検出出力に基づいて、給水配管２ａを介して電磁弁ユニット２Ａに供給される温水の温度が所定値以上、例えば３５゜以上となったか否か判定される。温度が所定値以上となった後に、ステップＳＴ２６に進む。
【０１３４】
このステップＳＴ２６では、ミスト発生処理が行われる。このように、電磁弁ユニット２Ａに供給される温水の温度が所定値以上となった後にミスト発生処理が行われるようにすることで、浴室１０１中に存在する人が、ミストによって肌寒さを感じないようにされる。
【０１３５】
この場合、電磁弁ユニット２Ａにおいて、電磁弁２ｆ（電磁弁３）は閉じられ、電磁弁２ｅ（電磁弁２）が開かれる（図２参照）。この場合、ヒートポンプ給湯装置４から給水配管２ａで供給される温水は、電磁弁２ｄ、銀イオンユニット２ｇおよび電磁弁２ｅを介して、ノズル配管２ｂに供給される（図１、図２参照）。これにより、ノズル配管２ｂからノズルユニット２Ｃの各ノズル２ｍに温水が供給され、浴室１０１内にミストとして噴出される。
【０１３６】
次に、ステップＳＴ２７で、入浴ミストボタン７ｂまたは６ｂが押されて入浴ミストオフとなったか、あるいは運転停止ボタン７ｄが押されて停止が指示されたか否かが判定される。入浴ミストオフとなったか、あるいは停止が指示されたときは、ステップＳＴ２８に進む。このステップＳＴ２８では、浴室空調装置３の動作が停止される。すなわち、浴室空調装置３のヒータ部３３およびファンモータ３６への通電が止められる。
【０１３７】
次に、ステップＳＴ２９で、水抜き処理が行われる。この場合、電磁弁ユニット２Ａにおいて、電磁弁２ｄ（電磁弁１）が閉じられ、電磁弁２ｆ（電磁弁３）が開かれる（図２参照）。これにより、ノズル配管２ｂに残っている温水は、電磁弁２ｅおよび２ｆを介して、ドレン配管２ｃに供給される（図１、図２参照）
次に、ステップＳＴ３０で、水抜き処理に必要な所定時間、例えば３秒が経過したか否かが判定される。所定時間が経過したときは、ステップＳＴ３１に進む。このステップＳＴ３１では、停止処理が行われる。この場合、電磁弁ユニット２Ａにおいて、電磁弁２ｅ（電磁弁２）および電磁弁２ｆ（電磁弁３）が閉じられる（図２参照）。なおこのとき、ノズルユニット２Ｃも制御され、ノズル２ｍの向きが元の位置に戻される。
【０１３８】
この停止処理の後に、ステップＳＴ３２で、入浴ミストモードの一連の動作が終了する。
【０１３９】
なお、ステップＳＴ２３でノズルユニット２Ｃが制御され、ノズル２ｍが浴槽１０１ｂ側に回動するようにしたが、ノズル２ｍが洗い場１０１ｅ側に回動するようにして、入浴者が直接ミストを浴びるようにしてもよい。さらに、図示しない操作ボタンにより、入浴者が浴槽１０１ｂ側と洗い場１０１ｅ側とを選択できるようにしてもよい。
【０１４０】
＜換気標準（銀イオンミストオン）モードの動作＞
空調リモコン６で、銀イオンミストボタン６ｃが押されて銀イオンミストオンとされ、その後に換気ボタン６ｇが押されて換気標準オンとされるとき、換気標準（銀イオンミストオン）モードとなり、このモードの動作が開始される。このモードは第１の運転モードを構成する。
【０１４１】
図１４は、換気標準（銀イオンミストオン）モードの動作を示すフローチャートである。
【０１４２】
ステップＳＴ４１では、銀イオンミストオンとされ、その後に換気標準オンとされることで、動作が開始される。
【０１４３】
次に、ステップＳＴ４２で、浴室空調装置３のファンモータ３６に通電され、ファン３５が回転される。この場合、ダンパ４０を全開、つまり換気位置（図６Ｂ参照）とされる。
【０１４４】
この場合、ファン部３２において吸込口３８から排気口４２への換気風路４３ｂが形成されるので、吸込口３８から吸い込まれた空気は、換気風路４３ｂおよび排気口４２を通り、さらに、図１に示す排気ダクト８を通って排気グリル８ａから屋外へ排気される（換気運転）。これにより、浴室１０１内の湯気や湿気が排気される。
【０１４５】
次に、ステップＳＴ４３で、ミスト発生装置２において、銀イオンが溶出された温水がノズルユニット２Ｃの各ノズル２ｍに供給され、浴室１０１内にミストとして噴出される。この場合、銀イオン濃度は、印加電圧の値、あるいは間欠的に電圧を印加する場合の印加時間の割合を制御することで、人体に影響のない濃度で、かつ抗菌作用のある低濃度、例えば１００ｐｐｂに制御される。
【０１４６】
このステップＳＴ４３でミストを噴出するまでの動作は、例えば図１１に示す入浴ミストモードのステップＳＴ３からステップＳＴ８までの動作に対応している。
【０１４７】
このように、換気運転が行われている状態で、浴室１０１内に銀イオンが含まれたミストが噴出される。この場合、このミストが換気風路４３ｂおよび排気口４２を通り、さらに、排気ダクト８を通って排気グリル８ａから屋外へ排気されるため、換気経路の抗菌が行われ、これらにおけるカビ菌等の菌の繁殖が効果的に防止される。
【０１４８】
次に、ステップＳＴ４４で、所定時間が経過したか否かが判定される。所定時間が経過したときは、ステップＳＴ４５に進む。このステップＳＴ４５では、ミスト発生装置２におけるミスト噴出が停止される。このステップＳＴ４５でミストの噴出を停止するまでの動作は、例えば図１１に示す入浴ミストモードのステップＳＴ１１からステップＳＴ１４までの動作に対応している。
【０１４９】
次に、ステップＳＴ４６で、タイマー設定時間が経過したか否かが判定される。このタイマー設定時間は、例えば空調リモコン６のアップダウンキー６ｊによりユーザが任意に設定できる。設定時間が経過したときは、ステップＳＴ４７で、浴室空調装置３のファン換気運転の動作が停止され、その後に、ステップＳＴ４８で、換気標準（銀イオンミストオン）モードの一連の動作が終了する。
【０１５０】
＜換気標準モードの動作＞
空調リモコン６で、換気ボタン６ｇが押されて換気標準オンとされるとき、換気標準モードとなり、このモードの動作が開始される。
【０１５１】
図１５は、換気標準モードの動作を示すフローチャートである。
【０１５２】
ステップＳＴ５１では、換気標準オンとされることで、動作が開始される。
【０１５３】
次に、ステップＳＴ５２で、浴室空調装置３のファンモータ３６に通電され、ファン３５が回転される。この場合、ダンパ４０を全開、つまり換気位置（図６Ｂ参照）とされる。
【０１５４】
この場合、ファン部３２において吸込口３８から排気口４２への換気風路４３ｂが形成されるので、吸込口３８から吸い込まれた空気は、換気風路４３ｂおよび排気口４２を通り、さらに、図１に示す排気ダクト８を通って排気グリル８ａから屋外へ排気される（換気運転）。これにより、浴室１０１内の湯気や湿気が排気される。
【０１５５】
次に、ステップＳＴ５３で、タイマー設定時間が経過したか否かが判定される。このタイマー設定時間は、例えば空調リモコン６のアップダウンキー６ｊによりユーザが任意に設定できる。設定時間が経過したときは、ステップＳＴ５４で、浴室空調装置３のファン換気運転の動作が停止され、その後に、ステップＳＴ５５で、換気標準モードの一連の動作が終了する。
【０１５６】
＜浴室乾燥（銀イオンミストオン）モードの動作＞
空調リモコン６で、銀イオンミストボタン６ｃが押されて銀イオンミストオンとされ、その後に換気ボタン６ｇが押されて浴室乾燥オンとされるとき、浴室乾燥（銀イオンミストオン）モードとなり、このモードの動作が開始される。このモードは第４の運転モードを構成する。
【０１５７】
図１６は、浴室乾燥（銀イオンミストオン）モードの動作を示すフローチャートである。
【０１５８】
ステップＳＴ６１では、銀イオンミストオンとされ、その後に浴室乾燥オンとされることで、動作が開始される。
【０１５９】
次に、ステップＳＴ６２で、浴室空調装置３のファンモータ３６に通電され、ファン３５が回転される。この場合、ダンパ４０は、循環位置と換気位置の中間位置、つまり循環換気位置（図６Ｃ参照）とされる。
【０１６０】
この場合、ファン部３２において吸込口３８から吹出口４１への循環風路４３ａおよび吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂおよび排気口４２を通り、さらに、図１に示す排気ダクト８を通って排気グリル８ａから屋外へ排気される（循環換気運転）。これにより、浴室１０１内の空気を循環させながら、浴室１０１内の湯気や湿気が排気される。
【０１６１】
次に、ステップＳＴ６３で、ミスト発生装置２において、銀イオンが溶出された温水がノズルユニット２Ｃの各ノズル２ｍに供給され、浴室１０１内にミストとして噴出される。この場合、銀イオン濃度は、印加電圧の値、あるいは間欠的に電圧を印加する場合の印加時間の割合を制御することで、高濃度、例えば３００ｐｐｂに制御される。
【０１６２】
このステップＳＴ６３でミストを噴出するまでの動作は、例えば図１１に示す入浴ミストモードのステップＳＴ５およびステップＳＴ７の動作に対応している。
【０１６３】
このように、循環換気運転が行われている状態で、浴室１０１内に銀イオンが含まれたミストが噴出される。この場合、このミストにより、浴室１０１の内壁、床面の抗菌が行われ、これらにおけるカビ菌等の菌の繁殖が効果的に防止される。
【０１６４】
次に、ステップＳＴ６４で、浴室照明スイッチ６９Ｂがオンとされたか否かが判定され、ステップＳＴ６５で、人体検出センサ６９Ａにより人体が検出されたか否かが判定される。浴室照明スイッチ６９Ｂがオンとされておらず、また人体検出センサ６９Ａにより人体が検出されていないときは、ステップＳＴ６６に進む。
【０１６５】
ステップＳＴ６４で浴室照明スイッチ６９Ｂがオンとされているとき、あるいはステップＳＴ６５で人体が検出されたとき、ステップＳＴ６７に進む。このステップＳＴ６７では、銀イオンユニット２ｇの印加電圧の値等が変更され、この銀イオンユニット２ｇから温水に溶出される銀イオンの濃度が、人体に影響のない濃度で、かつ抗菌作用のある低濃度、例えば１００ｐｐｂに制御される。
【０１６６】
そして、このステップＳＴ６７の処理の後、ステップＳＴ６８で、浴室照明スイッチ６９Ｂがオンとされたか否かが判定され、ステップＳＴ６９で、人体検出センサ６９Ａにより人体が検出されたか否かが判定される。少なくとも、浴室照明スイッチ６９Ｂがオンとされているか、あるいは人体検出センサ６９Ａにより人体が検出されているときは、ステップＳＴ６８に戻り、これらの判定が繰り返し行われる。
【０１６７】
しかし、浴室照明スイッチ６９Ｂがオンとされておらず、また人体検出センサ６９Ａにより人体が検出されていないときは、ステップＳＴ６３に戻り、銀イオンユニット２ｇの印加電圧の値等が変更され、この銀イオンユニット２ｇから温水に溶出される銀イオンの濃度が、再び高濃度、例えば３００ｐｐｂに制御される。
【０１６８】
このように、浴室照明スイッチ６９Ｂがオンとされ、浴室１０１内に人がいるおそれがあるとき、あるいは人体検出センサ６９Ａで人体が検出され、浴室１０１内に人がいるとき、ミストとして噴出される温水における銀イオンの濃度が３００ｐｐｂから１００ｐｐｂとされるので、浴室１０１内にいる人の人体に影響を与えることを防止でき、また浴室１０１内に人がいないときは銀イオン濃度を高いままとしているので、浴室１０１の内壁、床面の抗菌作用を充分に高めることができる。
【０１６９】
ステップＳＴ６６では、所定時間が経過したか否かが判定される。所定時間が経過していないときは、ステップＳＴ６４に戻り、一方所定期間が経過したときは、ステップＳＴ７０に進む。このステップＳＴ７０では、ミスト発生装置２におけるミスト噴出が停止される。このステップＳＴ７０でミストの噴出を停止するまでの動作は、例えば図１１に示す入浴ミストモードのステップＳＴ１１からステップＳＴ１４までの動作に対応している。
【０１７０】
次に、ステップＳＴ７１で、浴室空調装置３が、循環換気運転を行うと共に、イオン発生器４４から前述の正イオンと負イオンが発生される。このように、循環換気運転が行われている状態で、浴室１０１内に正イオンと負イオンが放出されるので、浴室１０１の内壁、床面のカビの発生を抑制する効果が増すことになる。
【０１７１】
次に、ステップＳＴ７２で、タイマー設定時間が経過したか否かが判定される。このタイマー設定時間は、例えば空調リモコン６のアップダウンキー６ｊによりユーザが任意に設定できる。設定時間が経過したときは、ステップＳＴ７３で、浴室空調装置３の循環換気運転、イオン発生の動作が停止され、その後に、ステップＳＴ７４で、浴室乾燥（銀イオンミストオン）モードの一連の動作が終了する。
【０１７２】
なお、人検出手段による人の検出は、ステップＳＴ６８の浴室照明スイッチ６９およびステップＳＴ６９の人体検出センサ６９Ａの双方を用いて行っているが、浴室照明スイッチ６９、人体検出センサ６９Ａのどちらか片方のみを用いて行ってもよい。また、人検出手段は、人が入っていることを直接的もしくは間接的に検出できるものであれば、浴室ドアの開閉を検知するドア開閉センサ等でもよく、浴室照明スイッチ６９や人体検出センサ６９Ａに限られるものではない。
【０１７３】
また、ステップＳＴ７１およびステップＳＴ６２でダンパ４０を循環換気位置（図６Ｃ参照）としたが、ステップＳＴ７１のみを循環位置（図６Ａ参照）としてもよい。さらに、ステップＳＴ６２を設けずに、浴室空調装置３のファン部３２を駆動せずに、ステップＳＴ６３でミスト発生装置２から銀イオンを含むミストを噴出するようにしてもよい。
【０１７４】
＜浴室乾燥モードの動作＞
空調リモコン６で、換気ボタン６ｇが押されて浴室乾燥オンとされるとき、浴室乾燥モードとなり、このモードの動作が開始される。
【０１７５】
図１７は、浴室乾燥モードの動作を示すフローチャートである。
【０１７６】
ステップＳＴ８１では、浴室乾燥オンとされることで、動作が開始される。
【０１７７】
次に、ステップＳＴ８２で、浴室空調装置３のファンモータ３６に通電され、ファン３５が回転される。この場合、ダンパ４０は、循環位置と換気位置の中間位置、つまり循環換気位置（図６Ｃ参照）とされる。
【０１７８】
この場合、ファン部３２において吸込口３８から吹出口４１への循環風路４３ａおよび吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂおよび排気口４２を通り、さらに、図１に示す排気ダクト８を通って排気グリル８ａから屋外へ排気される（循環換気運転）。これにより、浴室１０１内の空気を循環させながら、浴室１０１内の湯気や湿気が排気される。
【０１７９】
また、このステップＳＴ８２で、イオン発生器４４から前述の正イオンと負イオンが発生される。このように、循環換気運転が行われている状態で、浴室１０１内に正イオンと負イオンが放出されるので、浴室１０１の内壁、床面のカビの発生を抑制できる。
【０１８０】
次に、ステップＳＴ８３で、タイマー設定時間が経過したか否かが判定される。このタイマー設定時間は、例えば空調リモコン６のアップダウンキー６ｊによりユーザが任意に設定できる。設定時間が経過したときは、ステップＳＴ８４で、浴室空調装置３の循環換気運転、イオン発生の動作が停止され、その後に、ステップＳＴ８５で、浴室乾燥モードの一連の動作が終了する。
【０１８１】
＜暖房モードの動作＞
空調リモコン６で、暖房ボタン６ｆが押されて暖房オンとされるとき、暖房モードとなり、このモードの動作が開始される。
【０１８２】
図１８は、暖房モードの動作を示すフローチャートである。
【０１８３】
ステップＳＴ９１では、暖房オンとされることで、動作が開始される。
【０１８４】
次に、ステップＳＴ９２で、浴室空調装置３のヒータ部３３に通電され、このヒータ部３３が加熱される。また、浴室空調装置３のファンモータ３６に通電され、ファン３５が回転される。この場合、ダンパ４０は全閉、つまり循環位置（図６Ａ参照）とされる。
【０１８５】
この場合、ファン部３２において吸込口３８から吹出口４１への循環風路４３ａが形成されるので、吸込口３８から吸い込まれた空気は、循環風路４３ａを通り、ヒータ部３３で暖められて、吹出口４１からフロントパネル２６の吹出グリル４６を介して浴室１０１内に吹き出される（循環運転）。これにより、浴室１０１内が暖められる。
【０１８６】
次に、ステップＳＴ９３で、タイマー設定時間が経過したか否かが判定される。このタイマー設定時間は、例えば空調リモコン６のアップダウンキー６ｊによりユーザが任意に設定できる。設定時間が経過したときは、ステップＳＴ９４で、浴室空調装置３の動作が停止される。すなわち、浴室空調装置３のヒータ部３３およびファンモータ３６への通電が止められる。その後に、ステップＳＴ９５で、暖房モードの一連の動作が終了する。
【０１８７】
なお、詳細説明は省略するが、銀イオンミストオンとした後に、暖房オンとするとき、上述した換気標準（銀イオンミストオン）モード等と同様に、浴室１０１内に、銀イオンが含まれた温水によるミストが噴出されるようにしてもよい。これにより、浴室１０１内の抗菌効果が得られる。
【０１８８】
＜涼風（銀イオンミストオン）モードの動作＞
空調リモコン６で、銀イオンミストボタン６ｃが押されて銀イオンミストオンとされ、その後に涼風ボタン６ｅが押されて涼風オンとされるとき、涼風（銀イオンミストオン）モードとなり、このモードの動作が開始される。このモードは第２の運転モードを構成している。
【０１８９】
図１９は、涼風（銀イオンミストオン）モードの動作を示すフローチャートである。
【０１９０】
ステップＳＴ１０１では、銀イオンミストオンとされ、その後に涼風オンとされることで、動作が開始される。
【０１９１】
次に、ステップＳＴ１０２で、浴室空調装置３のファンモータ３６に通電され、ファン３５が回転される。この場合、ダンパ４０は、循環位置と換気位置の中間位置、つまり循環換気位置（図６Ｃ参照）とされる。
【０１９２】
この場合、ファン部３２において吸込口３８から吹出口４１への循環風路４３ａおよび吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂおよび排気口４２を通り、さらに、図１に示す排気ダクト８を通って排気グリル８ａから屋外へ排気される（循環換気運転）。これにより、浴室１０１内の空気を循環させながら、浴室１０１内の湯気や湿気が排気される。
【０１９３】
次に、ステップＳＴ１０３で、ミスト発生装置２においては、銀イオンが溶出された温水がノズルユニット２Ｃの各ノズル２ｍに供給され、浴室１０１内にミストとして噴出される。この場合、銀イオン濃度は、印加電圧の値、あるいは間欠的に電圧を印加する場合の印加時間の割合を制御することで、人体に影響のない濃度で、かつ抗菌作用のある低濃度、例えば１００ｐｐｂに制御される。
【０１９４】
このステップＳＴ４３でミストを噴出するまでの動作は、例えば図１１に示す入浴ミストモードのステップＳＴ３からステップＳＴ８までの動作に対応している。
【０１９５】
このように、循環換気運転が行われている状態で、浴室１０１内に銀イオンが含まれたミストが噴出される。この場合、このミストが循環風路４３ａおよび換気風路４３ｂを通るため、これらの風路の抗菌が行われる。
【０１９６】
次に、ステップＳＴ１０４で、所定時間が経過したか否かが判定される。所定時間が経過したときは、ステップＳＴ１０５に進む。このステップＳＴ１０５では、ミスト発生装置２におけるミスト噴出が停止される。このステップＳＴ１０５でミストの噴出を停止するまでの動作は、例えば図１１に示す入浴ミストモードのステップＳＴ１１からステップＳＴ１４までの動作に対応している。
【０１９７】
次に、ステップＳＴ１０６で、タイマー設定時間が経過したか否かが判定される。このタイマー設定時間は、例えば空調リモコン６のアップダウンキー６ｊによりユーザが任意に設定できる。設定時間が経過したときは、ステップＳＴ１０７で、浴室空調装置３の循環換気運転の動作が停止され、その後に、ステップＳＴ１０８で、涼風（銀イオンミストオン）モードの一連の動作が終了する。
【０１９８】
なお、ステップＳＴ１０２でダンパ４０を循環換気位置（図６Ｃ参照）としたが、循環位置（図６Ａ参照）としてもよい。さらに、浴室空調装置３のファン部３２を駆動せずに、ステップＳＴ１０５のミスト噴霧停止後、またはミスト噴霧途中に、ファン循環換気運転またはファン循環運転を行うようにしてもよい。
【０１９９】
＜涼風モードの動作＞
空調リモコン６で、涼風ボタン６ｅが押されて涼風オンとされるとき、涼風モードとなり、このモードの動作が開始される。
【０２００】
図２０は、涼風モードの動作を示すフローチャートである。
【０２０１】
ステップＳＴ１１１では、銀イオンミストオンとされ、その後に涼風オンとされることで、動作が開始される。
【０２０２】
次に、ステップＳＴ１１２で、浴室空調装置３のファンモータ３６に通電され、ファン３５が回転される。この場合、ダンパ４０は、循環位置と換気位置の中間位置、つまり循環換気位置（図６Ｃ参照）とされる。
【０２０３】
この場合、ファン部３２において吸込口３８から吹出口４１への循環風路４３ａおよび吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂおよび排気口４２を通り、さらに、図１に示す排気ダクト８を通って排気グリル８ａから屋外へ排気される（循環換気運転）。これにより、浴室１０１内の空気を循環させながら、浴室１０１内の湯気や湿気が排気される。
【０２０４】
次に、ステップＳＴ１１３で、タイマー設定時間が経過したか否かが判定される。このタイマー設定時間は、例えば空調リモコン６のアップダウンキー６ｊによりユーザが任意に設定できる。設定時間が経過したときは、ステップＳＴ１１４で、浴室空調装置３の循環換気運転の動作が停止され、その後に、ステップＳＴ１１５で、涼風モードの一連の動作が終了する。
【０２０５】
＜衣類乾燥（銀イオンミストオン）モードの動作＞
空調リモコン６で、銀イオンミストボタン６ｃが押されて銀イオンミストオンとされ、その後に衣類乾燥ボタン６ｄが押されて衣類乾燥オンとされるとき、衣類乾燥（銀イオンミストオン）モードとなり、このモードの動作が開始される。このモードは第３の運転モードを構成している。
【０２０６】
図２１は、衣類乾燥（銀イオンミストオン）モードの動作を示すフローチャートである。
【０２０７】
ステップＳＴ１２１では、銀イオンミストオンとされ、その後に衣類乾燥オンとされることで、動作が開始される。
【０２０８】
次に、ステップＳＴ１２２で、浴室空調装置３のヒータ部３３に通電され、このヒータ部３３が加熱される。また、浴室空調装置３のファンモータ３６に通電され、ファン３５が回転される。この場合、ダンパ４０は、循環位置と換気位置の中間位置、つまり循環換気位置（図６Ｃ参照）とされる。
【０２０９】
この場合、ファン部３２において吸込口３８から吹出口４１への循環風路４３ａおよび吸込口３８から排気口４２への換気風路４３ｂの双方が形成される。吸込口３８から吸い込まれた空気は、一部は循環風路４３ａを通り、ヒータ部３３で暖められて、吹出口４１からフロントパネル２６の吹出グリル４６を介して浴室１０１内に吹き出され、その他は換気風路４３ｂおよび排気口４２を通り、さらに、図１に示す排気ダクト８を通って排気グリル８ａから屋外へ排気される（循環換気運転）。これにより、浴室１０１内の空気を循環させながら、浴室１０１内の湿気が排気され、衣類の乾燥が行われる。
【０２１０】
次に、ステップＳＴ１２３で、ミスト発生装置２において、銀イオンが溶出された温水がノズルユニット２Ｃの各ノズル２ｍに供給され、浴室１０１内にミストとして噴出される。この場合、銀イオン濃度は、印加電圧の値、あるいは間欠的に電圧を印加する場合の印加時間の割合を制御することで、高濃度、例えば３００ｐｐｂに制御される。なおこの場合、ミストが衣類にかかるように、ノズル２ｍの向きが衣類に向くように、ノズルユニット２Ｃの回動制御が行われる。
【０２１１】
このステップＳＴ４３でミストを噴出するまでの動作は、例えば図１１に示す入浴ミストモードのステップＳＴ５およびステップＳＴ７の動作に対応している。
【０２１２】
このように、ヒータオン、かつ循環換気運転が行われている状態で、浴室１０１内に銀イオンが含まれたミストが噴出される。これにより、衣類に銀イオンが含まれたミストがかかり、これらの衣類の防菌がなされ、着衣時の臭いの発生が抑えられる。
【０２１３】
次に、ステップＳＴ１２４で、所定時間が経過したか否かが判定される。所定時間が経過したときは、ステップＳＴ１２５に進む。このステップＳＴ１２５では、ミスト発生装置２におけるミスト噴出が停止される。このステップＳＴ１２５でミストの噴出を停止するまでの動作は、例えば図１１に示す入浴ミストモードのステップＳＴ１１からステップＳＴ１４までの動作に対応している。
【０２１４】
次に、ステップＳＴ１２６で、タイマー設定時間が経過したか否かが判定される。このタイマー設定時間は、例えば空調リモコン６のアップダウンキー６ｊによりユーザが任意に設定できる。設定時間が経過したときは、ステップＳＴ１２７で、浴室空調装置３の循環換気運転の動作が停止され、その後に、ステップＳＴ１２８で、衣類乾燥（銀イオンミストオン）モードの一連の動作が終了する。
【０２１５】
なお、ステップＳＴ１２２でダンパ４０を循環換気位置（図６Ｃ参照）としたが、循環位置（図６Ａ参照）としてもよい。さらに、浴室空調装置３のファン部３２を駆動せずに、ステップＳＴ１２５のミスト噴霧停止後またはミスト噴霧途中にファン循環換気運転またはファン循環運転を行うようにしてもよい。
【０２１６】
＜衣類乾燥モードの動作＞
空調リモコン６で、衣類乾燥ボタン６ｄが押されて衣類乾燥オンとされるとき、衣類乾燥モードとなり、このモードの動作が開始される。
【０２１７】
図２２は、衣類乾燥モードの動作を示すフローチャートである。
【０２１８】
ステップＳＴ１３１では、衣類乾燥オンとされることで、動作が開始される。
【０２１９】
次に、ステップＳＴ１３２で、浴室空調装置３のヒータ部３３に通電され、このヒータ部３３が加熱される。また、浴室空調装置３のファンモータ３６に通電され、ファン３５が回転される。この場合、ダンパ４０は、循環位置と換気位置の中間位置、つまり循環換気位置（図６Ｃ参照）とされる。
【０２２０】
この場合、ファン部３２において吸込口３８から吹出口４１への循環風路４３ａおよび吸込口３８から排気口４２への換気風路４３ｂの双方が形成される。吸込口３８から吸い込まれた空気は、一部は循環風路４３ａを通り、ヒータ部３３で暖められて、吹出口４１からフロントパネル２６の吹出グリル４６を介して浴室１０１内に吹き出され、その他は換気風路４３ｂおよび排気口４２を通り、さらに、図１に示す排気ダクト８を通って排気グリル８ａから屋外へ排気される（循環換気運転）。これにより、浴室１０１内の空気を循環させながら、浴室１０１内の湿気が排気され、衣類の乾燥が行われる。
【０２２１】
次に、ステップＳＴ１３３で、タイマー設定時間が経過したか否かが判定される。このタイマー設定時間は、例えば空調リモコン６のアップダウンキー６ｊによりユーザが任意に設定できる。設定時間が経過したときは、ステップＳＴ１３４で、浴室空調装置３の循環換気運転の動作が停止され、その後に、ステップＳＴ１３５で、衣類乾燥モードの一連の動作が終了する。
【０２２２】
＜銀イオンユニットの交換時期の報知動作＞
上述したように、ミストリモコン７の発光素子７ｅおよびブザー７ｆ、さらに空調リモコン６の発光素子６ｈにより、電磁弁ユニット２Ａ内に配された銀イオンユニット２ｇの交換時期が使用者に報知される。空調リモコン６が接続される浴室空調装置３の制御部５Ａと、ミストリモコン７が接続される電源部ユニット２Ｂとは接続されている。例えば浴室空調装置３の制御部５Ａで、銀イオンユニット２ｇの取り付け時からの動作累積時間が管理されている。この制御部５Ａは、動作累積時間が、交換時期に相当する所定時間に達したか否かを常に判定し、動作累積時間が所定時間を越えるとき、交換時期であると判定する。
【０２２３】
このように制御部５Ａで交換時期であると判定されるとき、この制御部５Ａの制御により、ミストリモコン７の発光素子７ｅおよび空調リモコン６の発光素子６ｈが連続発光あるいは点滅発光の状態となり、またミストリモコン７のブザー７ｆは、銀イオンユニット２ｇから温水または水に銀イオンを溶出する運転モード、例えば入浴ミスト（銀イオンミストオン）モード、換気標準（銀イオンミストオン）モード、浴室乾燥（銀イオンミストオン）モード、涼風（銀イオンミストオン）モード、衣類乾燥（銀イオンミストオン）モードのいずれかが選択された場合にブザー音を出力する。
【０２２４】
なお、上述実施の形態とは異なるが、ミスト発生装置２からの銀イオン等の金属イオンを含むミスト（銀イオンミスト）の噴出動作回数に基づいて、交換時期に達したか否かを判定（決定）してもよい。銀イオンミストの噴出動作回数とは、銀イオンミストボタン６ｃ，７ｃが押され銀イオンが溶出する運転モードが実行された回数や銀イオンユニット２ｇに駆動電圧を印加した回数であってもよく、他の方法であってもよい。
【０２２５】
＜実施の形態の主な効果＞
以上説明したように、図１に示す浴室システム１によれば、ヒートポンプ給湯装置４から排出された温水は、給水配管２ａを介して電磁弁ユニット２Ａに供給される。そして、この電磁弁ユニット２Ａ内に配置されている銀イオンユニット２ｇにより温水に抗菌作用を有する銀イオンが溶出される。そのため、ノズルユニット２Ｃの各ノズル２ｍから噴出されるミストは銀イオンを含んだものとなり、浴室１０１内に温水であるミストが噴出されるにも拘わらず、この浴室１０１の内壁、床面の抗菌を行うことができ、カビ菌の繁殖などを良好に防止できる。
【０２２６】
また、図１に示す浴室システム１によれば、ノズルユニット２Ｃの各ノズル２ｍから銀イオンを含むミストを噴出する場合、ミスト噴出前、さらにはミスト噴出後に、銀イオン濃度を例えば３００ｐｐｂとした温水をドレン配管２ｃに流すようにしているので、ドレン配管２ｃやドレンパン１０１ｃの抗菌を行うことができ、カビ菌の繁殖などを抑制できる。
【０２２７】
また、図１に示す浴室システム１によれば、浴室空調装置３を換気標準（銀イオンミストオン）モードで運転する場合、ミスト発生装置２との連係により、換気運転が行われている状態で、浴室１０１内に銀イオンが含まれたミストが所定時間だけ噴出されるものであり、銀イオンによって換気風路４３ｂの抗菌を行うことができ、カビ菌等の菌の繁殖を効果的に防止できる。
【０２２８】
また、図１に示す浴室システム１によれば、浴室空調装置３を浴室乾燥（銀イオンミストオン）モードで運転する場合、ミスト発生装置２との連係により、循環換気運転が行われている状態で、浴室１０１内に銀イオンが含まれたミストが所定時間だけ噴出されるものであり、銀イオンによって浴室１０１の内壁、床面の抗菌を行うことができ、が行われ、これらにおけるカビ菌等の菌の繁殖が効果的に防止できる。
【０２２９】
また、図１に示す浴室システム１によれば、浴室空調装置３を涼風（銀イオンミストオン）モードで運転する場合、ミスト発生装置２との連係により、循環換気運転が行われている状態で、浴室１０１内に銀イオンが含まれたミストが所定時間だけ噴出されるものであり、銀イオンを含むミストが循環風路４３ａおよび換気風路４３ｂを通るため、これらの風路の抗菌を効果的に行うことができる。
【０２３０】
また、図１に示す浴室システム１によれば、浴室空調装置３を衣類乾燥（銀イオンミストオン）モードで運転する場合、ミスト発生装置２との連係により、ヒータオン、かつ循環換気運転が行われている状態で、浴室１０１内に銀イオンが含まれたミストが所定時間だけ噴出されるものであり、衣類に銀イオンが含まれたミストがかかることから、これらの衣類の防菌を行うことができ、着衣時の臭いの発生が抑制できる。
【０２３１】
また、図１に示す浴室システム１によれば、浴室空調装置３を浴室乾燥（銀イオンミストオン）モードで運転する場合、ミスト発生装置２との連係により、循環換気運転が行われている状態で、浴室１０１内に銀イオンが含まれたミストを所定時間だけ噴出するものであるが、浴室照明スイッチ６９Ｂがオンとされ、浴室１０１内に人がいるおそれがあるとき、あるいは人体検出センサ６９Ａで人体が検出され、浴室１０１内に人がいるとき、ミストとして噴出される温水における銀イオンの濃度が３００ｐｐｂから１００ｐｐｂとされるので、浴室１０１内にいる人の人体に影響を与えることを防止でき、また浴室１０１内に人がいないときは浴室１０１の内壁、床面の抗菌作用を充分に高めることができる。
【０２３２】
また、図１に示す浴室システム１によれば、電磁弁ユニット２Ａ内に配された銀イオンユニット２ｇの交換時期を、ミストリモコン７の発光素子７ｅおよびブザー７ｆ、さらに空調リモコン６の発光素子６ｈで知らせる構成となっているので、使用者は銀イオンユニット２ｇの交換時期を容易に知ることができる。
【０２３３】
また、図１に示す浴室システム１によれば、電磁弁ユニット２Ａは、浴室１０１の天井に有する点検口１０１ａの近傍に配設されるものであり、この電磁弁ユニット２Ａに配設される銀イオンユニット２ｇの交換を簡単に行うことができ、メンテナンスが容易となる。
【０２３４】
＜変形例＞
なお、上述実施の形態においては、流路切替器は電磁弁ユニット２Ａ（図２参照）で構成されているが、詳細説明は省略するが、その他の構成、例えば三方電磁弁などを用いた構成を採用することもできる。
【０２３５】
また、上述実施の形態においては、電磁弁ユニット２Ａは図２に示すように構成され、銀イオンユニット２ｇが当該電磁弁ユニット２Ａ内に取り付けられたものを示した。しかし、図２３に示すように、銀イオンユニット２ｇを電磁弁ユニット２Ａａの外部に取り付けることも考えられる。この図２３において、図２と対応する部分には、同一符号を付して示している。
【０２３６】
電磁弁ユニット２Ａａは、電磁弁ユニット２Ａから銀イオンユニット２ｇを除いたとものと同様の構成となる。この場合、銀イオンユニット２ｇは、接続部２ｂ′に接続されるノズル配管２ｂに取り付けられる。この場合、ノズル配管２ｂを流れる温水のみに銀イオンを溶出でき、ノズルユニット２Ｃの各ノズル２ｍから噴出されるミストによる抗菌効果を得ることができることは図２の電磁弁ユニット２Ａを使用する場合と同じである。また、ここでは接続していないが、接続部２ｃ′に銀イオンユニット２ｇを接続すれば、ドレン配管２ｃ、ドレンパン１０１の抗菌効果を得ることができる。
【０２３７】
また、上述実施の形態においては、電磁弁ユニット２Ａに銀イオンユニット２ｇを取り付けたものであるが、この銀イオンユニット２ｇを給湯器側に取り付けることも考えられる。銀イオンユニット２ｇは、例えば図２４に示すように、給湯配管６５の給湯混合弁６４の近傍に取り付けられる。この図２４において、図７と対応する部分には同一符号を付し、その詳細説明は省略する。
【０２３８】
この場合、ヒートポンプ給湯器５１Ａから温水が供給される浴室１０１、洗面脱衣所１０２、台所１０３等の全てに銀イオンが溶出された温水を供給でき、この温水を使用した場合に銀イオンにより抗菌効果を得ることができるようになる。
【０２３９】
また、上述実施の形態においては、銀イオンが含まれた温水をノズルユニット２Ｃのノズル２ｍからミストとして噴出させるものを示したが、このように銀イオンが含まれた温水をシャワーヘッドからシャワーとして噴出させるようにしてもよい。このシャワーにより、浴室１０１の壁面、床面の抗菌を行うことができる。
【０２４０】
また、上述実施の形態においては、抗菌作用のある金属イオンとして銀イオンを用いたものであるが、その他の金属イオン、例えば銅イオン、亜鉛イオン等であってもよい。
【０２４１】
また、上述実施の形態においては、温水に抗菌作用のある金属イオン、例えば銀イオンを溶出させるものを示したが、温水から酸性電解水を生成し、この酸性電解水をノズル２ｍからミストとして噴出させるようにしてもよい。
【０２４２】
図２５は、電磁弁ユニット２Ａａの接続部２ｂ′に電解水生成ユニット２Ｄを接続したものである。この電解水生成ユニット２Ｄでは、以下の原理で酸性電解水およびアルカリ電解水が生成される。すなわち、電解槽内の２つ電極（陽極、陰極）間に隔膜を置き、温水（水）に電解補助剤（ＮａＣｌ）を添加したものを電解槽内に流し、電気分解をする。これにより、陽極側に酸性電解水、陰極側にアルカリ電解水が生成される（有隔膜電解）。
【０２４３】
酸性電解水には塩素ガスが溶解しており、この塩素ガスから生成される次亜塩素酸（ＨＣｌＯ）の働きで微生物に対する抗菌作用が得られる。一方、アルカリ電解水によりたんぱく質系・脂質系の汚れに洗浄効果のある水酸化ナトリウム（ＮａＯＨ）が生成される。
【０２４４】
ここで、電解水生成ユニット２Ｄの給水管７１は電磁弁ユニット２Ａａの接続部２ｂ′に接続され、この電解水生成ユニット２Ｄには電磁弁２Ｃを介して温水（水）が供給される。また、この電解水生成ユニット２Ｄの酸性電解水の排水管７２はノズル配管としてノズルユニット２Ｃの接続部２ｎに接続される。これにより、ノズルユニット２Ｃの各ノズル２ｍから酸性電解水がミストとして、例えば浴室１０１内に噴出される。さらに、この電解水生成ユニット２Ｄのアルカリ電解水の排水管７３は図示せずもドレン配管２ｃに接続され、アルカリ電解水はドレン配管２ｃを介してドレンパン１０１ｃに排出される。
【０２４５】
なお、電解水生成ユニット２Ｄで生成される酸性電解水のｐＨは、この電解水生成ユニット２Ｄに供給される温水（水）の流量、あるいは電極間に印加される電圧の値を調整することで、調整できる（例えば、特開６−２４６２６８号公報参照）。
【０２４６】
この電解生成ユニット２Ｄを用いることで、以下のような効果を得ることができる。例えば、微酸性電解水（ｐＨ６程度）をノズル２ｍからミストとして噴出させる場合、これを人の肌に浴びることで、雑菌から皮膚を守ることができる。また、強酸性電解水（ｐＨ２〜３程度）をノズル２ｍからミストとして噴出させる場合、強力な抗菌効果を得ることができる。また、アルカリ電解水をドレン配管２ｃに流すことで、このドレン配管２ｃ、ドレンパン１０１ｃ、排水口等のぬめりを落とすことができる。
【０２４７】
なお、電解水生成ユニット２Ｄを電磁弁ユニット２Ａａ内に取り付けることも考えられるが、酸性電解水を電磁弁に通すことは耐久上好ましくないことから、図２５に示すように電解水生成ユニット２Ｄを電磁弁ユニット２Ａａの外部に取り付けることとしている。
【０２４８】
また、上述実施の形態においては、銀イオンユニット２ｇの交換時期を表示する発光素子６ｈ，７ｅを空調リモコン６やミストリモコン７に設けたものであるが、その他の場所、例えばノズルユニット２Ｃ等に設けるようにしてもよい。
【０２４９】
また、上述実施の形態においては、浴室空調装置３として１個のファンとダンパを備えて、浴室１０１内の空気の循環と排気を行える構成のものを示したが、循環用のファンと排気（換気）用のファンを独立して備える浴室空調装置であってもよい。
【０２５０】
さらに、浴室内の空気を循環するのではなく、洗面脱衣所等の他室の空気また外気を浴室内に給気する給気ファンを用い、循環と換気を行う場合に代えて、給気と換気を行うようにしてもよい。
【０２５１】
また、上述実施の形態においては、浴室１０１にノズルユニット２Ｃから銀イオンが溶出された温水をミストとして噴出するものを示したが、その他の室、例えば図２６に示すように、洗面脱衣所１０２、トイレ１０３にもミスト発生装置２Ｅ，２Ｅを設け、これらの室にも銀イオンが含まれた温水（水）をミストとして噴出して、抗菌を行うことができる。この図２５において、図１と対応する部分には同一符号を付し、その詳細説明は省略する。
【０２５２】
この場合、例えば洗面脱衣所１０２では、暖房機１０２ｂの運転と連動させた動作が行われるようにしてもよい。例えば、暖房機１０２ｂが涼風モード（ヒータオフ、循環換気運転）で動作させている状態で、ミスト発生装置２Ｅから銀イオンが含まれたミストを発生させることで、ミストを脱衣洗面所１０２の全体に行き渡らせることができ、隅々まで抗菌を行うことが可能となる。
【０２５３】
この場合、図２に示す電磁弁ユニット２Ａに代わって、例えば、図２７に示す電磁弁ユニット２Ａｂが使用される。この図２７において、図２と対応する部分には同一符号を付し、その詳細説明は省略する。
【０２５４】
すなわち、この電磁弁ユニット２Ａｂでは、筐体２Ａ′に、脱衣洗面所１０２のミスト発生装置２Ｅへのノズル配管２p1が接続される接続部２p1′と、トイレ１０３のミスト発生装置２Ｅへのノズル配管２p2が接続される接続部２p2′とが設けられる。そして、接続部２p1′，２p2′はそれぞれ電磁弁２q1，２q2を介して、銀イオンユニット２ｇの排出側に接続されている。
【０２５５】
洗面脱衣所１０２、トイレ１０３に配設されるミスト発生装置２Ｅとしては、より小さな粒のミストが噴出されるものが使用される。このようにミストの粒が小さくなることで、ミストが空気に混じり易くなり、各部に水滴がつくことを抑制できる。
【０２５６】
＜細霧化ミスト発生装置＞
図２８Ａ，Ｂ、図２９Ａ，Ｂは、ミスト発生装置２Ｅの構成を示している。図２８Ａはミスト発生装置２Ｅを下面側から見た平面図、図２８Ｂは図２８ＡのＡ−Ａ線断面図である。また、図２９Ａは図２８ＡのＢ−Ｂ線断面図、図２９Ｂは図２８ＡのＣ−Ｃ線断面図である。
【０２５７】
ミスト発生装置２Ｅは、ミストを生成するミストノズル１１Ａと、ミストノズル１１Ａに対する温水または水の供給を切り替える供給制御弁装置１２と、ミストノズル１１Ａで生成したミストを細霧化して吹き出す軸流ファン部１３と、軸流ファン部１３により細霧化されたミストの噴出を行うための風路を形成する本体ケース１４を備える。
【０２５８】
軸流ファン部１３は拡散手段の一例で、ファンモータ１５と、ファンモータ１５に回転駆動されるプロペラファン１６を備える。ファンモータ１５は駆動手段の一例で、軸１５ａが縦向きに配置される。
【０２５９】
プロペラファン１６は羽根車の一例で、複数枚の羽根１６ａが所定の取り付け角で取り付けられる。プロペラファン１６は、例えば４枚の羽根１６ａを備え、隣接する各羽根１６ａの端部が軸方向には所定の間隔を有し、回転方向には重なり部１６ｂを有する形態である。これにより、プロペラファン１６は、軸方向から見て各羽根１６ａの間には隙間が形成されない形態である。
【０２６０】
軸流ファン部１３は、プロペラファン１６がファンモータ１５の軸１５ａに取り付けられ、プロペラファン１６がファンモータ１５によって回転駆動されることで、ミストを含む空気がプロペラファン１６に対して軸方向から流入し、軸方向へ流出する。
【０２６１】
ミストノズル１１Ａは、温水または水等の供給を受け、霧状にして噴出する。ミストノズル１１Ａは、軸流ファン部１３のプロペラファン１６が回転駆動されることにより発生する空気の流れる方向に対して上流側で、プロペラファン１６の羽根１６ａの回転軌跡に沿った位置に配置され、プロペラファン１６の羽根１６ａに向けてミストを噴出する。
【０２６２】
ミストノズル１１Ａとしては、例えばプロペラファン１６の羽根１６ａの枚数と同じ個数が使用され、各ミストノズル１１Ａはプロペラファン１６の羽根１６ａの回転軌跡に沿って等間隔で配置される。これにより、ミストノズル１１Ａは、プロペラファン１６の各羽根１６ａの間隔と同間隔で円周上に並んで配置される。
【０２６３】
本体ケース１４は、例えば直方体形状の外形を有し、内部が円筒形状の風路形成壁部１７で仕切られている。風路形成壁部１７は、上端が本体ケース１４の天井部分の下面と繋がる。また、風路形成壁部１７は、外周面の一部が本体ケース１４の対向する一方の２側面と繋がる。更に、風路形成壁部１７は、外周面の一部が本体ケース１４の対向する他方の２側面と２本ずつの仕切り壁部１７ａを介して繋がる。これにより、風路形成壁部１７は、本体ケース１４の対向する一方の２側面と、４枚の仕切り壁部１７ａによって外周面が支持される。
【０２６４】
なお、仕切り壁部１７ａの間にリブ１７ｂを設けて、更に風路形成壁部１７の外周面を支持する構成としても良い。
【０２６５】
本体ケース１４は、風路形成壁部１７の内側に第１の吹出風路１８を備えると共に、風路形成壁部１７の外側に第２の吹出風路１９と吸込風路２０を備える。第１の吹出風路１８は、外周が風路形成壁部１７で仕切られた円筒形状の空間として形成される。また、第２の吹出風路１９は、風路形成壁部１７の周囲で、例えば第１の吹出風路１８を挟んで対向する２箇所に形成される。さらに、吸込風路２０は、風路形成壁部１７の周囲で、第２の吹出風路１９と仕切り壁部１７ａで仕切られた例えば４箇所に形成される。
【０２６６】
本体ケース１４は、第１の吹出風路１８に軸流ファン部１３が取り付けられる。すなわち、本体ケース１４は、第１の吹出風路１８の天井部分の上面に軸流ファン部１３のファンモータ１５が取り付けられる。ファンモータ１５の軸１５ａは、第１の吹出風路１８の天井部分を貫通して垂直方向に突出し、軸１５ａにプロペラファン１６が取り付けられる。第１の吹出風路１８は、プロペラファン１６の直径より大きな直径を有しており、プロペラファン１６は、第１の吹出風路１８内で回転自在な構成である。
【０２６７】
また、本体ケース１４は、第１の吹出風路１８の天井部分の下面で、ファンモータ１５の軸１５ａの周囲にノズル取付部２１を備え、ノズル取付部２１に上述した所定の配置でミストノズル１１Ａが取り付けられる。
【０２６８】
なお、第１の吹出風路１８側からファンモータ１５側への漏水を防ぐため、プロペラファン１６とノズル取付部２１の間の軸１５ａに遮蔽羽根２２を備える。遮蔽羽根２２は、例えば下面が波形状となっている円板で、プロペラファン１６と共に回転する。
【０２６９】
遮蔽羽根２２は、ノズル取付部２１から突出するファンモータ１５の軸１５ａの根元の部分を覆うことで、プロペラファン１６に当たって上方へと拡散したミスト等をはね返して、ファンモータ１５側への漏水を防ぐ。また、遮蔽羽根２２の下面を波形状とすることで、ミストを拡散して細霧化を促進する。
【０２７０】
各吸込風路２０と第１の吹出風路１８は、風路形成壁部１７に形成された吸込風路連絡口２３を介して連通する。吸込風路連絡口２３は、プロペラファン１６の取付位置より高い風路形成壁部１７の上部を貫通して形成される。
【０２７１】
ここで、吸込風路２０から吸込風路連絡口２３を通って第１の吹出風路１８に空気が流れる際に、乱流が発生しないように、例えば吸込風路２０の上部を曲面で構成する。このため、例えば、本体ケース１４の上部の４箇所の角部を、径の大きな曲面で構成しても良い。
【０２７２】
また、第１の吹出風路１８と第２の吹出風路１９は、風路形成壁部１７に形成された吹出風路連絡口２４を介して連通する。吹出風路連絡口２４は、プロペラファン１６の取付位置と同等の高さ付近の風路形成壁部１７を貫通して形成され、網状板部２４ａが取り付けられる。網状板部２４ａは、例えば目の細かい金網で構成され、吹出風路連絡口２４を通るミストを細霧化する。
【０２７３】
本体ケース１４は、第１の吹出風路１８の下部が開口して第１の吹出口１８ａが形成されると共に、各第２の吹出風路１９の下部が開口して第２の吹出口１９ａが形成される。さらに、各吸込風路２０の下部が開口して吸込口２０ａが形成される。
【０２７４】
これにより、各吸込口２０ａから各吸込風路２０を通り、吸込風路連絡口２３を介して第１の吹出風路１８と繋がって第１の吹出口１８ａへ至る風路が形成される。また、第１の吹出風路１８から吹出風路連絡口２４を介して第２の吹出風路１９と繋がって、第２の吹出口１９ａへ至る風路が形成される。
【０２７５】
本体ケース１４は、風路形成壁部１７の下部にドレン部材であるドレンパン２５を備える。ドレンパン２５は、風路形成壁部１７の形状に合わせたリング形状で、風路形成壁部１７の下端が入る溝を有して、風路形成壁部１７の内周面及び外周面を伝わって落ちる水滴を受ける。
【０２７６】
また、ドレンパン２５は、円周方向の１箇所にドレンホース口２５ａを備え、風路形成壁部１７から受けた水をドレンホース口２５ａから排水できる構成である。このため、ドレンパン２５は、ドレンホース口２５ａ側が下がるように傾斜した状態となっている。なお、ドレンパン２５を風路形成壁部１７等に対して着脱自在な構成として、清掃が行えるようにしても良い。
【０２７７】
本体ケース１４は、下部にフロントパネル２６′を備える。本体ケース１４は、フロントパネル２６′を固定するフック部１４ａ等を備えて、フロントパネル２６が着脱自在に取り付けられる。
【０２７８】
フロントパネル２６は、第１の吹出口１８ａ及び第２の吹出口１９ａと連通し、細霧化されたミストを吹き出す吹出グリル２６ａを備える。また、フロントパネル２６は、吸込口２０ａと連通し、空気を吸い込む吸込グリル２６ｂを備える。
【０２７９】
なお、ミスト発生装置２Ｅでは、例えば第２の吹出口１９ａに補助ミストノズル２７を備え、運転開始段階等で、予備的にミストを吹き出すことができるようにしても良い。補助ミストノズル２７としては、例えば、一方の第２の吹出口１９ａには、ミストの水滴径が細かい補助ミストノズル２７ａを備え、他方の第２の吹出口１９ａには、ミストの水滴径が粗い補助ミストノズル２７ｂを備えて、水滴径の異なるミストを必要に応じて吹き出す構成としてもよい。
【０２８０】
なお、ミストの細霧化方法は、プロペラファンに代えて、径の細かな網状のものを用いてもよい。
【産業上の利用可能性】
【０２８１】
この発明は、室内の抗菌を、室内にいる人の体に影響を与えることなく、効果的に行うことができるものであり、例えばミスト発生装置を備える浴室システムに適用できる。
【図面の簡単な説明】
【０２８２】
【図１】浴室システムの構成を示す図である。
【図２】電磁弁ユニットの構成を示す図である。
【図３】ノズルユニットの構成を示す図である。
【図４】浴室空調装置の構成を示す断面図である。
【図５】浴室空調装置の構成を示す分解斜視図である。
【図６】浴室空調装置の循環位置、換気位置および循環換気位置におけるダンパ位置を説明するための図である。
【図７】ヒートポンプ給湯装置の構成を示す図である。
【図８】ミストリモコン（ミスト操作部）の操作面を示す図である。
【図９】空調リモコン（主操作部）の操作面を示す図である。
【図１０】浴室空調装置、ミスト発生装置の制御系の構成を示すブロック図である。
【図１１】入浴ミスト（銀イオンミストオン）モードの動作を示すフローチャートである。
【図１２】入浴ミスト（銀イオンミストオン）モードの動作を示すフローチャートである。
【図１３】入浴ミストモードの動作を示すフローチャートである。
【図１４】換気標準（銀イオンミストオン）モードの動作を示すフローチャートである。
【図１５】換気標準モードの動作を示すフローチャートである。
【図１６】浴室乾燥（銀イオンミストオン）モードの動作を示すフローチャートである。
【図１７】浴室乾燥モードの動作を示すフローチャートである。
【図１８】暖房モードの動作を示すフローチャートである。
【図１９】涼風（銀イオンミストオン）モードの動作を示すフローチャートである。
【図２０】涼風モードの動作を示すフローチャートである。
【図２１】衣類乾燥（銀イオンミストオン）モードの動作を示すフローチャートである。
【図２２】衣類乾燥モードの動作を示すフローチャートである。
【図２３】銀イオンユニットを電磁弁ユニットの外部に取り付けた例を示す図である。
【図２４】銀イオンユニットの給湯器側の取り付け例を示す図である。
【図２５】電磁弁ユニットの外部に電解水生成ユニットを取り付けた例を示す図である。
【図２６】浴室の他に、洗面脱衣所やトイレでもミスト噴出を行う構成を示す図である。
【図２７】電磁弁ユニットの他の構成例を示す図である。
【図２８】細かな粒のミストを発生するミスト発生装置の構成を示す図である。
【図２９】細かな粒のミストを発生するミスト発生装置の構成を示す図である。
【符号の説明】
【０２８３】
１・・・浴室システム、２・・・ミスト発生装置、２Ａ，２Ａａ，２Ａｂ・・・電磁弁ユニット、２Ａ′・・・筐体、２Ｂ・・・電源部ユニット、２Ｃ・・・ノズルユニット、２Ｄ・・・電解水生成ユニット、２Ｅ・・・ミスト発生装置、２ａ・・・給水配管、２ｂ・・・ノズル配管、２ｃ・・・ドレン配管、２ａ′〜２ｃ′・・・接続部、２ｄ〜２ｆ・・・電磁弁、２ｇ・・・銀イオンユニット、２ｈ・・・温度検出センサ、２ｉ〜２ｋ・・・配管、３・・・浴室空調装置、４・・・ヒートポンプ給湯装置、６・・・主操作部（空調リモコン）、６ａ・・・電気ケーブル、６ｈ・・・交換時期を知らせる発光素子、７・・・ミスト操作部（ミストリモコン）、７ａ・・・電気ケーブル、７ｅ・・・交換時期を知らせる発光素子、７ｆ・・・交換時期を知らせるブザー、８・・・排気ダクト、２６・・・フロントパネル、６９・・・温度検出センサ、６９Ａ・・・人体検出センサ、６９Ｂ・・・浴室照明スイッチ、１０１ａ・・・点検口、１０１ｂ・・・浴槽、１０１ｃ・・・ドレンパン
【図１】
2007064566.tif 000003
【図２】
2007064566.tif 000004
【図３】
2007064566.tif 000005
【図４】
2007064566.tif 000006
【図５】
2007064566.tif 000007
【図６】
2007064566.tif 000008
【図７】
2007064566.tif 000009
【図８】
2007064566.tif 000010
【図９】
2007064566.tif 000011
【図１０】
2007064566.tif 000012
【図１１】
2007064566.tif 000013
【図１２】
2007064566.tif 000014
【図１３】
2007064566.tif 000015
【図１４】
2007064566.tif 000016
【図１５】
2007064566.tif 000017
【図１６】
2007064566.tif 000018
【図１７】
2007064566.tif 000019
【図１８】
2007064566.tif 000020
【図１９】
2007064566.tif 000021
【図２０】
2007064566.tif 000022
【図２１】
2007064566.tif 000023
【図２２】
2007064566.tif 000024
【図２３】
2007064566.tif 000025
【図２４】
2007064566.tif 000026
【図２５】
2007064566.tif 000027
【図２６】
2007064566.tif 000028
【図２７】
2007064566.tif 000029
【図２８】
2007064566.tif 000030
【図２９】
2007064566.tif 000031